(57)【特許請求の範囲】
【請求項１】
ユーザ装置（Ｕｓｅｒ  Ｅｑｕｉｐｍｅｎｔ）の受信方法において、
基地局（ｅＮＢ；ｅｖｏｌｖｅｄ  Ｎｏｄｅ  Ｂ）からＰＤＣＣＨ（Ｐｈｙｓｉｃａｌ  Ｄｏｗｎｌｉｎｋ  Ｃｏｎｔｒｏｌ  ＣＨａｎｎｅｌ）を受信する段階；
ＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣ（Ｃｙｃｌｉｃ  Ｒｅｄｕｎｄａｎｃｙ  Ｃｈｅｃｋ）がスクランブリング（ｓｃｒａｍｂｌｉｎｇ）された前記ＰＤＣＣＨをデコードするように設定されたか否かを判断する段階と；
前記ＳＰＳ  Ｃ−ＲＮＴＩを利用してＣＲＣがスクランブリングされた前記ＰＤＣＣＨをデコードするように設定されたら、前記ＰＤＣＣＨの共用（Ｃｏｍｍｏｎ）検索空間（ｓｅａｒｃｈ  ｓｐａｃｅ）及びユーザ装置特定（ＵＥ  ｓｐｅｃｉｆｉｃ）検索空間をすべて含む検索空間でＤＣＩ（Ｄｏｗｎｌｉｎｋ  Ｃｏｎｔｒｏｌ  Ｉｎｆｏｒｍａｔｉｏｎ）フォーマット１ＡのＤＣＩが発見されるか否かを判断する段階と；
前記ＳＰＳ  Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を受信する段階と；を含み、
前記ＳＰＳ  Ｃ−ＲＮＴＩを利用してＣＲＣがスクランブリングされた前記ＰＤＣＣＨをデコードするように設定されたら、前記ＰＤＣＣＨのユーザ装置特定検索空間で特定ＤＣＩフォーマットのＤＣＩが発見されるか否かを判断する段階−ここで、前記特定ＤＣＩフォーマットは、不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する：をさらに含む
ことを特徴とする受信方法。
【請求項２】
前記ＳＰＳ  Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって指示される受信ポートで前記特定ＤＣＩフォーマットのＤＣＩによって単一ポート伝送スキームで前記ＰＤＣＣＨに相当するＰＤＳＣＨを受信する段階をさらに含む
ことを特徴とする請求項１に記載の受信方法。
【請求項３】
Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣがスクランブリングされた前記ＰＤＣＣＨをデコードするように設定されたか否かを判断する段階と；
前記Ｃ−ＲＮＴＩを利用してＣＲＣがスクランブリングされた前記ＰＤＣＣＨをデコードするように設定されたら、前記ＰＤＣＣＨのユーザ装置特定検索空間で前記特定ＤＣＩフォーマットのＤＣＩが発見されるか否かを判断する段階と；をさらに含み、
前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって決定される受信ポートで前記特定ＤＣＩフォーマットのＤＣＩによる単一ポート伝送スキームで前記ＰＤＣＣＨに相当するＰＤＳＣＨを受信する段階；または前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩによるデュアル階層伝送スキームで前記ＰＤＣＣＨに相当するＰＤＳＣＨを受信する段階；をさらに含む
ことを特徴とする請求項２に記載の受信方法。
【請求項４】
前記Ｃ−ＲＮＴＩを利用してＣＲＣがスクランブリングされた前記ＰＤＣＣＨをデコードするように設定されたら、前記ＰＤＣＣＨの共用検索空間及びユーザ装置特定検索空間をすべて含む検索空間でＤＣＩフォーマット１ＡのＤＣＩが発見されるか否かを判断する段階と；
前記Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって伝送ダイバシティ（ｔｒａｎｓｍｉｔ  ｄｉｖｅｒｓｉｔｙ）伝送スキームで前記ＰＤＣＣＨに相当するＰＤＳＣＨを受信する段階と；をさらに含む
ことを特徴とする請求項３に記載の受信方法。
【請求項５】
ユーザ装置（Ｕｓｅｒ  Ｅｑｕｉｐｍｅｎｔ）において、
基地局（ｅＮＢ；ｅｖｏｌｖｅｄ  Ｎｏｄｅ  Ｂ）からＰＤＣＣＨ（Ｐｈｙｓｉｃａｌ  Ｄｏｗｎｌｉｎｋ  Ｃｏｎｔｒｏｌ  ＣＨａｎｎｅｌ）を受信し；
ＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣ（Ｃｙｃｌｉｃ  Ｒｅｄｕｎｄａｎｃｙ  Ｃｈｅｃｋ）がスクランブリング（ｓｃｒａｍｂｌｉｎｇ）された前記ＰＤＣＣＨをデコードするように設定されたか否かを判断し；
前記ＳＰＳ  Ｃ−ＲＮＴＩを利用してＣＲＣがスクランブリングされた前記ＰＤＣＣＨをデコードするように設定されたら、前記ＰＤＣＣＨの共用（Ｃｏｍｍｏｎ）検索空間（ｓｅａｒｃｈ  ｓｐａｃｅ）及びユーザ装置特定（ＵＥ  ｓｐｅｃｉｆｉｃ）検索空間をすべて含む検索空間でＤＣＩ（Ｄｏｗｎｌｉｎｋ  Ｃｏｎｔｒｏｌ  Ｉｎｆｏｒｍａｔｉｏｎ）フォーマット１ＡのＤＣＩが発見されるか否かを判断し；
前記ＳＰＳ  Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を受信する制御部を含み、
前記制御部は、
前記ＳＰＳ  Ｃ−ＲＮＴＩを利用してＣＲＣがスクランブリングされた前記ＰＤＣＣＨをデコードするように設定されたら、前記ＰＤＣＣＨのユーザ装置特定検索空間で特定ＤＣＩフォーマットのＤＣＩが発見されるか否かを判断し−ここで、前記特定ＤＣＩフォーマットは、不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する
ことを特徴とするユーザ装置。
【請求項６】
前記制御部は、さらに、
前記ＳＰＳ  Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって指示される受信ポートで前記特定ＤＣＩフォーマットのＤＣＩによって単一ポート伝送スキームで前記ＰＤＣＣＨに相当するＰＤＳＣＨを受信する
ことを特徴とすることを特徴とする請求項５に記載のユーザ装置。
【請求項７】
前記制御部は、
Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＣＲＣがスクランブリングされた前記ＰＤＣＣＨをデコードするように設定されたか否かを判断し；
前記Ｃ−ＲＮＴＩを利用してＣＲＣがスクランブリングされた前記ＰＤＣＣＨをデコードするように設定されたら、前記ＰＤＣＣＨのユーザ装置特定検索空間で前記特定ＤＣＩフォーマットのＤＣＩが発見されるか否かを判断し、
前記制御部は、
前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩの不活性化された伝送ブロックのＮＤＩによって決定される受信ポートで前記特定ＤＣＩフォーマットのＤＣＩによる単一ポート伝送スキームで前記ＰＤＣＣＨに相当するＰＤＳＣＨを受信するか；または前記Ｃ−ＲＮＴＩを利用してＣＲＣがスクランブリングされた前記ＰＤＣＣＨをデコードするように設定され、前記ＰＤＣＣＨのユーザ装置特定検索空間で前記特定ＤＣＩフォーマットのＤＣＩが発見されれば、前記特定ＤＣＩフォーマットのＤＣＩによるデュアル階層伝送スキームで前記ＰＤＣＣＨに相当するＰＤＳＣＨを受信する
ことを特徴とする請求項６に記載のユーザ装置。
【請求項８】
前記制御部は、
前記Ｃ−ＲＮＴＩを利用してＣＲＣがスクランブリングされた前記ＰＤＣＣＨをデコードするように設定されたら、前記ＰＤＣＣＨの共用検索空間及びユーザ装置特定検索空間をすべて含む検索空間でＤＣＩフォーマット１ＡのＤＣＩが発見されるか否かを判断し；
前記Ｃ−ＲＮＴＩを利用してＣＲＣがスクランブリングされた前記ＰＤＣＣＨをデコードするように設定され、前記ＰＤＣＣＨの共用検索空間及びユーザ装置特定検索空間をすべて含む検索空間でＤＣＩフォーマット１ＡのＤＣＩが発見されれば、前記ＤＣＩフォーマット１ＡのＤＣＩによって伝送ダイバシティ（ｔｒａｎｓｍｉｔ  ｄｉｖｅｒｓｉｔｙ）伝送スキームで前記ＰＤＣＣＨに相当するＰＤＳＣＨを受信する
ことを特徴とする請求項７に記載のユーザ装置。
【請求項９】
基地局（ｅＮＢ；ｅｖｏｌｖｅｄ  Ｎｏｄｅ  Ｂ）の伝送方法において、
第１のユーザ装置（ＵＥ；Ｕｓｅｒ  Ｅｑｕｉｐｍｅｎｔ）のＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＤＣＩ（Ｄｏｗｎｌｉｎｋ  Ｃｏｎｔｒｏｌ  Ｉｎｆｏｒｍａｔｉｏｎ）フォーマット１Ａの第１のＤＣＩのＣＲＣ（ＣｙｃｌｉｃＲｅｄｕｎｄａｎｃｙ  Ｃｈｅｃｋ）をスクランブリング（ｓｃｒａｍｂｌｉｎｇ）する段階と；
ＰＤＣＣＨ（Ｐｈｙｓｉｃａｌ  Ｄｏｗｎｌｉｎｋ  Ｃｏｎｔｒｏｌ  ＣＨａｎｎｅｌ）の共用（Ｃｏｍｍｏｎ）検索空間（ｓｅａｒｃｈ  ｓｐａｃｅ）及び前記第１のＵＥのユーザ装置特定（ＵＥ  ｓｐｅｃｉｆｉｃ）検索空間をすべて含む検索空間で前記第１のＵＥに前記第１のＤＣＩを送信する段階と；
前記第１のＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を送信する段階と；
第２のＵＥのＳＰＳ  Ｃ−ＲＮＴＩを利用して不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する特定ＤＣＩフォーマットの第２のＤＣＩのＣＲＣをスクランブリングする段階と；を含む
ことを特徴とする伝送方法。
【請求項１０】
前記ＰＤＣＣＨの前記第２のＵＥのユーザ装置特定検索空間で前記第２のＵＥに前記第２のＤＣＩを送信する段階と；
前記第２のＤＣＩの不活性化された伝送ブロックのＮＤＩによって指示される受信ポートで前記第２のＤＣＩによって単一ポート伝送スキームで前記ＰＤＣＣＨに相当するＰＤＳＣＨを送信する段階と；をさらに含む
ことを特徴とする請求項９に記載の伝送方法。
【請求項１１】
第３のＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用して前記特定ＤＣＩフォーマットの第３のＤＣＩのＣＲＣをスクランブリングする段階と；
前記ＰＤＣＣＨの前記第３のＵＥのユーザ装置特定検索空間で前記第３のＵＥに前記第３のＤＣＩを送信する段階と；をさらに含み、
前記第３のＤＣＩの不活性化された伝送ブロックのＮＤＩによって決定される受信ポートで前記第３のＤＣＩによって単一ポート伝送スキームで前記ＰＤＣＣＨに相当するＰＤＳＣＨを送信する段階；または前記第３のＤＣＩによってデュアル階層伝送スキームで前記ＰＤＣＣＨに相当するＰＤＳＣＨを送信する段階；をさらに含む
ことを特徴とする請求項１０に記載の伝送方法。
【請求項１２】
第４のＵＥのＣ−ＲＮＴＩを利用してＤＣＩフォーマット１Ａの第４のＤＣＩのＣＲＣをスクランブリングする段階と；
前記ＰＤＣＣＨの共用検索空間及び前記第４のＵＥのユーザ装置特定検索空間をすべて含む検索空間で前記第４のＵＥに前記第４のＤＣＩを送信する段階と；
前記第４のＤＣＩによって伝送ダイバシティ（ｔｒａｎｓｍｉｔ  ｄｉｖｅｒｓｉｔｙ）伝送スキームで前記ＰＤＣＣＨに相当するＰＤＳＣＨを送信する段階と；をさらに含む
ことを特徴とする請求項１１に記載の伝送方法。
【請求項１３】
基地局（ｅＮＢ；ｅｖｏｌｖｅｄ  Ｎｏｄｅ  Ｂ）において、
第１のユーザ装置（ＵＥ；Ｕｓｅｒ  Ｅｑｕｉｐｍｅｎｔ）のＳＰＳ  Ｃ−ＲＮＴＩ（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用してＤＣＩ（Ｄｏｗｎｌｉｎｋ  Ｃｏｎｔｒｏｌ  Ｉｎｆｏｒｍａｔｉｏｎ）フォーマット１Ａの第１のＤＣＩのＣＲＣ（ＣｙｃｌｉｃＲｅｄｕｎｄａｎｃｙ  Ｃｈｅｃｋ）をスクランブリング（ｓｃｒａｍｂｌｉｎｇ）し；
ＰＤＣＣＨ（Ｐｈｙｓｉｃａｌ  Ｄｏｗｎｌｉｎｋ  Ｃｏｎｔｒｏｌ  ＣＨａｎｎｅｌ）の共用（Ｃｏｍｍｏｎ）検索空間（ｓｅａｒｃｈ  ｓｐａｃｅ）及び前記第１のＵＥのユーザ装置特定（ＵＥ  ｓｐｅｃｉｆｉｃ）検索空間をすべて含む検索空間で前記第１のＵＥに前記第１のＤＣＩを送信し、
前記第１のＤＣＩによって単一ポート伝送スキーム（ｓｃｈｅｍｅ）で前記ＰＤＣＣＨに相当するＰＤＳＣＨ（Ｐｈｙｓｉｃａｌ  Ｄｏｗｎｌｉｎｋ  Ｓｈａｒｅｄ  Ｃｈａｎｎｅｌ）を送信する制御部を含み、
前記制御部は、
第２のＵＥのＳＰＳ  Ｃ−ＲＮＴＩを利用して不活性化された（ｄｉｓａｂｌｅｄ）伝送ブロック（ｔｒａｎｓｐｏｒｔ  ｂｌｏｃｋ）のＮＤＩ（Ｎｅｗ  Ｄａｔａ  Ｉｎｄｉｃａｔｏｒ）が受信ポートを指示する特定ＤＣＩフォーマットの第２のＤＣＩのＣＲＣをスクランブリングする
ことを特徴とする基地局。
【請求項１４】
前記制御部は、さらに、
前記ＰＤＣＣＨの前記第２のＵＥのユーザ装置特定検索空間で前記第２のＵＥに前記第２のＤＣＩを送信し；
前記第２のＤＣＩの不活性化された伝送ブロックのＮＤＩによって指示される受信ポートで前記第２のＤＣＩによって単一ポート伝送スキームで前記ＰＤＣＣＨに相当するＰＤＳＣＨを送信する
ことを特徴とする請求項１３に記載の基地局。
【請求項１５】
前記制御部は、
第３のＵＥのＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を利用して前記特定ＤＣＩフォーマットの第３のＤＣＩのＣＲＣをスクランブリングし、
前記ＰＤＣＣＨの前記第３のＵＥのユーザ装置特定検索空間で前記第３のＵＥに前記第３のＤＣＩを送信し、
前記制御部は、
前記第３のＤＣＩの不活性化された伝送ブロックのＮＤＩによって決定される受信ポートで前記第３のＤＣＩによって単一ポート伝送スキームで前記ＰＤＣＣＨに相当するＰＤＳＣＨを送信するか；または前記第３のＤＣＩによってデュアル階層伝送スキームで前記ＰＤＣＣＨに相当するＰＤＳＣＨを送信する
ことを特徴とすることを特徴とする請求項１４に記載の基地局。
【発明の詳細な説明】
【技術分野】
【０００１】
本発明は、無線通信に関し、より詳細には、専用レファレンス信号をスクランブルするために使用される方法を指示するためのシステム及び方法に関する。
【背景技術】
【０００２】
３ＧＰＰ  ＬＴＥ（３ｒｄ  Ｇｅｎeｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）で直交周波数分割多重化（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、ダウンリンク（ＤＬ）伝送スキーム（ｓｃｈｅｍｅ）に適用される。
【発明の概要】
【発明が解決しようとする課題】
【０００３】
基地局が提供される。基地局は、伝送経路回路を含む。伝送経路回路は、動的スケジューリングのためにセル無線ネットワーク臨時識別子（Ｃ−ＲＮＴＩ、ｃｅｌｌ  ｒａｄｉｏ  ｎｅｔｗｏｒｋ  ｔｅｍｐｏｒａｒｙ  ｉｄｅｎｔｉｆｉｅｒ）を利用するダウンリンク制御情報（ＤＣＩ、ｄｏｗｎｌｉｎｋ  ｃｏｎｔｒｏｌ  ｉｎｆｏｒｍａｔｉｏｎ）フォーマットの循環重複検査（ＣＲＣ、ｃｙｃｌｉｃ  ｒｅｄｕｎｄａｎｃｙ  ｃｈｅｃｋ）ビットをスクランブルし、また、半永久的スケジューリング（ＳＰＳ、ｓｅｍｉ−ｐｅｒｓｉｓｔｅｎｔ  ｓｃｈｅｄｕｌｉｎｇ）のために半永久的スケジューリング（ＳＰＳ）Ｃ−ＲＮＴＩを利用したＤＣＩ形式のＣＲＣビットをスクランブルするように構成される。
【０００４】
Ｃ−ＲＮＴＩが前記ＣＲＣビットをスクランブルするために使用されれば、前記伝送経路回路は、伝送ダイバシティスキームまたは単一階層ビームフォーミングスキームを示すための待機フォーマットである前記ＤＣＩフォーマットを利用してダウンリンク伝送グラント（ｄｏｗｎｌｉｎｋ  ｔｒａｎｓｍｉｓｓｉｏｎ  ｇｒａｎｔ）を生成し、制御チャネル要素（ＣＣＥ、ｃｏｎｔｒｏｌ  ｃｈａｎｎｅｌ  ｅｌｅｍｅｎｔ）ドメインの共通またはユーザ装置特定検索空間でダウンリンク伝送グラントを伝送する。
前記伝送経路回路は、単一の専用レファレンス信号（ＤＲＳ、ｄｅｄｉｃａｔｅｄ  ｒｅｆｅｒｅｎｃｅ  ｓｉｇｎａｌ）ポート伝送スキームまたはデュアルＤＲＳポート伝送スキームを示すためのデュアル階層ビームフォーミングフォーマットである前記ＤＣＩフォーマットを利用してダウンリンク伝送グラントを生成し、ＣＣＥドメインのユーザ装置特定検索空間でダウンリンク伝送グラントを伝送する。
【０００５】
ＳＰＳ  Ｃ−ＲＮＴＩが前記ＣＲＣビットをスクランブルするために使用されれば、前記伝送経路回路は、単一ＤＲＳポート伝送スキームを示すための待機フォーマットである前記ＤＣＩフォーマットを利用してダウンリンク伝送グラント（ｄｏｗｎｌｉｎｋ  ｔｒａｎｓｍｉｓｓｉｏｎ  ｇｒａｎｔ）を生成し、ＣＣＥドメインの共通またはユーザ装置特定検索空間でダウンリンク伝送グラントを伝送する。前記伝送経路回路は、単一ＤＲＳポート伝送スキームまたはデュアルＤＲＳポート伝送スキームを示すためのデュアル階層ビームフォーミングフォーマットである前記ＤＣＩフォーマットを利用してダウンリンク伝送グラントを生成し、ＣＣＥドメインのユーザ装置特定検索空間でダウンリンク伝送グラントを伝送する。
【０００６】
基地局を動作させる方法が提供される。前記方法は、動的スケジューリングのために、セル無線ネットワーク臨時識別子（Ｃ−ＲＮＴＩ、ｃｅｌｌ  ｒａｄｉｏ  ｎｅｔｗｏｒｋ  ｔｅｍｐｏｒａｒ  ｙｉｄｅｎｔｉｆｉｅｒ）を利用するダウンリンク制御情報（ＤＣＩ、ｄｏｗｎｌｉｎｋ  ｃｏｎｔｒｏｌ  ｉｎｆｏｒｍａｔｉｏｎ）フォーマットの循環重複検査（ＣＲＣ、ｃｙｃｌｉｃ  ｒｅｄｕｎｄａｎｃｙ  ｃｈｅｃｋ）ビットをスクランブル（ｓｃｒａｍｂｌｅ）し、半永久的スケジューリング（ＳＰＳ、ｓｅｍｉ−ｐｅｒｓｉｓｔｅｎｔ  ｓｃｈｅｄｕｌｉｎｇ）のために半永久的スケジューリング（ＳＰＳ、ｓｅｍｉ−ｐｅｒｓｉｓｔｅｎｔ  ｓｃｈｅｄｕｌｉｎｇ）Ｃ−ＲＮＴＩを利用して前記ＤＣＩフォーマットのＣＲＣビットをスクランブルする段階を含む。
【０００７】
もし、Ｃ−ＲＮＴＩが前記ＣＲＣビットをスクランブルするために使用されれば、前記方法は、伝送ダイバシティスキームまたは単一階層ビームフォーミングスキームを示すための待機フォーマットである前記ＤＣＩフォーマットを利用してダウンリンク伝送グラント（ｄｏｗｎｌｉｎｋ  ｔｒａｎｓｍｉｓｓｉｏｎ  ｇｒａｎｔ）を生成し、制御チャネル要素（ＣＣＥ、ｃｏｎｔｒｏｌ  ｃｈａｎｎｅｌ  ｅｌｅｍｅｎｔ）ドメインの共通またはユーザ装置特定検索空間でダウンリンク伝送グラントを伝送する段階を含む。また、前記方法は、単一の専用レファレンス信号（ＤＲＳ、ｄｅｄｉｃａｔｅｄ  ｒｅｆｅｒｅｎｃｅ  ｓｉｇｎａｌ）ポート伝送スキームまたはデュアルＤＲＳポート伝送スキームを示すためのデュアル階層ビームフォーミングフォーマットである前記ＤＣＩフォーマットを利用してダウンリンク伝送グラントを生成し、ＣＣＥドメインのユーザ装置特定検索空間でダウンリンク伝送グラントを伝送する段階を含む。
【０００８】
ＳＰＳ  Ｃ−ＲＮＴＩが前記ＣＲＣビットをスクランブルするために使用されれば、前記方法は、単一ＤＲＳポート伝送スキームを示すための待機フォーマットである前記ＤＣＩフォーマットを利用してダウンリンク伝送グラント（ｄｏｗｎｌｉｎｋ  ｔｒａｎｓｍｉｓｓｉｏｎ  ｇｒａｎｔ）を生成し、ＣＣＥドメインの共通またはユーザ装置特定検索空間でダウンリンク伝送グラントを伝送する段階を含む。また、前記方法は、単一ＤＲＳポート伝送スキームまたはデュアルＤＲＳポート伝送スキームを示すためのデュアル階層ビームフォーミングフォーマットである前記ＤＣＩフォーマットを利用してダウンリンク伝送グラントを生成し、ＣＣＥドメインのユーザ装置特定検索空間でダウンリンク伝送グラントを伝送する段階を含む。
【０００９】
加入者端末が提供される。前記加入者端末は、基地局からダウンリンク伝送グラントを受信する受信経路回路を含む。また、前記受信経路回路は、セル無線ネットワーク臨時識別子（Ｃ−ＲＮＴＩ、ｃｅｌｌ  ｒａｄｉｏ  ｎｅｔｗｏｒｋ  ｔｅｍｐｏｒａｒｙ  ｉｄｅｎｔｉｆｉｅｒ）キーを利用してダウンリンク伝送グラントの循環重複検査（ＣＲＣ、ｃｙｃｌｉｃ  ｒｅｄｕｎｄａｎｃｙ  ｃｈｅｃｋ）ビットをデスクランブル（ｄｅ−ｓｃｒａｍｂｌｅ）し、半永久的スケジューリング（ＳＰＳ、ｓｅｍｉ−ｐｅｒｓｉｓｔｅｎｔ  ｓｃｈｅｄｕｌｉｎｇ）Ｃ−ＲＮＴＩキーを利用して前記ＤＣＩフォーマットのＣＲＣビットをデスクランブルする。
【００１０】
前記Ｃ−ＲＮＴＩキーが前記ＣＲＣビットを成功的にデスクランブルすれば、前記受信経路回路は、前記ダウンリンク伝送グラントがダウンリンク制御情報（ＤＣＩ、ｄｏｗｎｌｉｎｋ  ｃｏｎｔｒｏｌ  ｉｎｆｏｒｍａｔｉｏｎ）フォーマットでデュアル階層ビームフォーミングフォーマットを使用するか、または待機フォーマットを使用するか否かを判断する。前記ダウンリンク伝送グラントが前記待機フォーマットをＤＣＩフォーマットとして使用すれば、前記受信経路回路は、前記基地局により伝送ダイバシティ伝送スキームが使用されるかまたは単一階層ビームフォーミングスキームが使用されるかを判断する。前記ダウンリンク伝送グラントが前記デュアル階層ビームフォーミングフォーマットをＤＣＩフォーマットとして使用すれば、前記受信経路回路は、前記基地局がデュアル専用レファレンス信号（ＤＲＳ、ｄｅｄｉｃａｔｅｄ  ｒｅｆｅｒｅｎｃｅ  ｓｉｇｎａｌ）ポート伝送スキームを使用するか、または単一ＤＲＳポート伝送スキームを使用するかを判断する。ＳＰＳ  Ｃ−ＲＮＴＩキーが前記ＣＲＣビットを成功的にデスクランブルすれば、前記受信経路回路は、前記ダウンリンク伝送グラントがＤＣＩフォーマットで待機フォーマットを使用するか、またはデュアル階層ビームフォーミングフォーマットを使用するかを判断する。前記ダウンリンク伝送グラントがＤＣＩフォーマットで前記待機フォーマットを使用すれば、前記受信経路回路は、前記基地局が単一ＤＲＳポート伝送スキームを使用するか否かを判断する。ダウンリンク伝送グラントがＤＣＩフォーマットとしてデュアル階層ビームフォーミングフォーマットを使用すれば、前記受信経路回路は、前記基地局がデュアルＤＲＳポート伝送スキームを使用するか、または単一ＤＲＳポート伝送スキームを使用するかを判断する。
【００１１】
加入者端末を動作させる方法を提供する。前記方法は、基地局からダウンリンク伝送グラントを受信する段階を含む。また、前記方法は、セル無線ネットワーク臨時識別子（Ｃ−ＲＮＴＩ、ｃｅｌｌ  ｒａｄｉｏ  ｎｅｔｗｏｒｋ  ｔｅｍｐｏｒａｒｙ  ｉｄｅｎｔｉｆｉｅｒ）キーを利用してダウンリンク伝送グラントの循環重複検査（ＣＲＣ、ｃｙｃｌｉｃ  ｒｅｄｕｎｄａｎｃｙ  ｃｈｅｃｋ）ビットをデスクランブル（ｄｅ−ｓｃｒａｍｂｌｅ）し、半永久的スケジューリング（ＳＰＳ、ｓｅｍｉ−ｐｅｒｓｉｓｔｅｎｔ  ｓｃｈｅｄｕｌｉｎｇ）Ｃ−ＲＮＴＩキーを利用して前記ＤＣＩフォーマットのＣＲＣビットをデスクランブルする段階を含む。
【００１２】
前記Ｃ−ＲＮＴＩキーが前記ＣＲＣビットを成功的にデスクランブルすれば、前記方法は、前記ダウンリンク伝送グラントがダウンリンク制御情報（ＤＣＩ、ｄｏｗｎｌｉｎｋ  ｃｏｎｔｒｏｌ  ｉｎｆｏｒｍａｔｉｏｎ）フォーマットとしてデュアル階層ビームフォーミングフォーマットを使用するか、または待機フォーマットを使用するか否かを判断する段階を含む。前記ダウンリンク伝送グラントが前記待機フォーマットをＤＣＩフォーマットとして使用すれば、前記方法は、前記基地局により伝送ダイバシティ伝送スキームが使用されるか、または単一階層ビームフォーミングスキームが使用されるかを判断する段階をさらに含む。前記ダウンリンク伝送グラントが前記デュアル階層ビームフォーミングフォーマットをＤＣＩフォーマットとして使用すれば、前記方法は、前記基地局がデュアル専用レファレンス信号（ＤＲＳ、ｄｅｄｉｃａｔｅｄ  ｒｅｆｅｒｅｎｃｅ  ｓｉｇｎａｌ）ポート伝送スキームを使用するか、または単一ＤＲＳポート伝送スキームを使用するかを判断する段階をさらに含む。
【００１３】
ＳＰＳ  Ｃ−ＲＮＴＩキーが前記ＣＲＣビットを成功的にデスクランブルすれば、前記方法は、前記ダウンリンク伝送グラントがＤＣＩフォーマットで待機フォーマットを使用するか、またはデュアル階層ビームフォーミングフォーマットを使用するかを判断する段階を含む。前記ダウンリンク伝送グラントがＤＣＩフォーマットとして前記待機フォーマットを使用すれば、前記方法は、前記基地局が単一ＤＲＳポート伝送スキームを使用するかを判断する段階をさらに含む。ダウンリンク伝送グラントがＤＣＩフォーマットとしてデュアル階層ビームフォーミングフォーマットを使用すれば、前記基地局がデュアルＤＲＳポート伝送スキームを使用するか、または単一ＤＲＳポート伝送スキームを使用するかを判断する段階をさらに含む。
【００１４】
本発明の詳細な説明に先立って、本特許文献において使用される単語及び構文に対する定義を提示する。用語”含む（ｉｎｃｌｕｄｅ）”及び”含む（ｃｏｍｐｒｉｓｅ）”とそれから派生したものは、制限なく含まれるという意味である；用語”または”は、包括的に”及び／または”の意味である；構文”と関連した”、”それとともに関連した”とそれから派生したものは、それ内に含まれる、と連結される、含む、それ内に含まれる、それと連結される、それとまたはそれとともに連結される、それと通信することができる、それと協動する、間に介在される、併置する、それに近接する、必ずそれをする、有する、それを所有する、などの意味として使用される；そして、用語”制御機”は、少なくとも１つの動作を制御する任意の装置、システムまたはそれらの一部を意味し、このような装置は、ハードウェア、ファームウエアまたはソフトウェア、またはそれらと同一の少なくとも２個の組み合わせで具現される。任意の特定制御機と関連した機能は、中央集中方式または分散方式、地域的または遠隔的方式で具現されることができる。任意の単語または構文に対する定義が本特許文献において提供される。この技術分野における通常の知識を有する者なら、多くの場合にこのような定義は、以前の使用に適用され、さらに、このように定義された単語及び構文の今後の使用に適用されるものであることを理解することができる。
【図面の簡単な説明】
【００１５】
本発明の思想及び利点のさらに完全な理解のために、次の詳細な説明は、添付の図面とともに提供され、図面全体にわたって同一の構成要素は、できるだけ同一の参照符号で示していることに留意しなければならない。
【図１】図１は、本発明の実施例によるメッセージを伝送する無線ネットワーク１００の例を示す図である。
【図２】図２は、本発明の一実施例による直交周波数分割多重接続（ＯＦＤＭＡ、ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）伝送経路の上位レベルを示す図である。
【図３】図３は、本発明の一実施例による直交周波数分割多重接続（ＯＦＤＭＡ）受信経路の上位レベルを示す図である。
【図４】図４は、本発明の実施例による複数の移動端末と通信する基地局の図である。
【図５】図５は、本発明の実施例によるＳＤＭＡ（ｓｐａｔｉａｌ  ｄｉｖｉｓｉｏｎ  ｍｕｌｔｉｐｌｅ  ａｃｃｅｓｓ）スキームを示す図である。
【図６】図６は、本発明の実施例によるレファレンス信号パターンを示す図である。
【図７】図７は、本発明の実施例による２個のユーザ装置の観点からレファレンスパターンのレファレンス信号部分及びデータ部分を示す図である。
【図８】図８は、本発明の他の実施例によって２個のユーザ装置の観点からレファレンスパターンのレファレンス信号部分及びデータ部分を示す図である。
【図９】図９は、本発明の実施例によるレファレンス信号シーケンスを生成しマッピングするためのシステムを示す図である。
【図１０】図１０は、本発明の実施例によるダウンリンクグラントに対して使用されるダウンリンク制御情報（ＤＣＩ、ｄｏｗｎｌｉｎｋ  ｃｏｎｔｒｏｌ  ｉｎｆｏｒｍ  ａｔｉｏｎ）フォーマットを要約した表を示す図である。
【図１１】図１１は、本発明の実施例による基地局を動作させる方法を示す図である。
【図１２】図１２は、本発明の実施例による端末動作の方法を示す図である。
【図１３】図１３は、本発明の実施例による専用レファレンス信号（ＤＲＳ）インデックス及びストリームインデックスに活性化されたコードワードをマッピングすることを示す表を示す図である。
【図１４】図１４は、本発明の実施例による専用レファレンス信号（ＤＲＳ、ｄｅｄｉｃａｔｅｄ  ｒｅｆｅｒｅｎｃｅ  ｓｉｇｎａｌ）インデックス及びストリームインデックスに不活性化されたコードワードの新しいデータ指示子（ＮＤＩ）ビットをマッピングすることを示す表を示す図である。
【図１５】図１５は、本発明の他の実施例によるｅＮｏｄｅＢまたは基地局（ｂａｓｅ  ｓｔａｔｉｏｎ）の動作方法１３００を示す図である。
【図１６】図１６は、本発明の他の実施例による端末を動作させる方法を示す図である。
【図１７】図１７は、本発明の実施例によるダウンリンクグラントの２個の状態を説明する表を示す図である。
【図１８】図１８は、本発明の実施例による１ビットフィールドを利用するダウンリンクグラントの２個の状態を表現する表を示す図である。
【図１９】図１９は、本発明の実施例による端末特定スクランブルまたはセル特定スクランブルの選択を示すために活性化された伝送ブロック（ＴＢｓ）の数の利用を示す表を示す図である。
【図２０】図２０は、本発明の実施例による端末特定スクランブルまたはセル特定スクランブルの選択を示すための個別ダウンリンクグラントに存在するビットを利用することを示す表を示す図である。
【図２１】図２１は、本発明のさらに他の実施例によるｅＮｏｄｅＢまたは基地局動作方法を示す図である。
【図２２】図２２は、本発明のさらに他の実施例による加入者端末を動作させる方法を示す図である。
【図２３】図２３は、本発明の実施例による連続したＣＣＥ（ｃｏｎｔｒｏｌ  ｃｈａｎｎｅｌ  ｅｌｅｍｅｎｔ）のセットで構成された検索空間を示す図である。
【図２４】図２４は、本発明の第１実施例による基地局またはｅＮｏｄｅＢを動作させる方法を示す図である。
【図２５】図２５は、本発明の第１実施例による加入者端末（ｓｕｂｓｃｒｉｂｅｒ  ｓｔａｔｉｏｎ）またはユーザ端末（ＵＥ）を動作させる方法を示す図である。
【図２６】図２６は、本発明の第２実施例による基地局またはｅＮｏｄｅＢを動作させる方法２４００を示す図である。
【図２７】図２７は、本発明の第２実施例による加入者端末またはユーザ端末動作方法を示す図である。
【図２８】図２８は、本発明の実施例によるストリーム（またはＤＲＳ）識別子とＣＣＥ（ｃｏｎｔｒｏｌ  ｃｈａｎｎｅｌ  ｅｌｅｍｅｎｔ）集合の位置間の連結を示す図である。
【図２９】図２９は、本発明の第３実施例による基地局またはｅＮｏｄｅＢ動作方法を示す図である。
【図３０】図３０は、本発明の第３実施例による加入者端末またはユーザ端末動作方法を示す図である。
【図３１】図３１は、本発明の実施例によるダウンリンク（ＤＬ）フォーマットを示す図である。
【図３２】図３２は、本発明の第４実施例による基地局またはｅＮｏｄｅＢ動作方法を示す図である。
【図３３】図３３は、本発明の第４実施例による基地局または端末動作方法を示す図である。
【図３４】図３４は、本発明の実施例によるストリームの数を示すのに使用される表を示す図である。
【図３５】図３５は、本発明の実施例によるＤＲＳ ＲＥセットを示すためにＤＲＳセット指示子フラグを利用することを示す図である。
【図３６】図３６は、本発明の実施例によるＤＣＩフォーマットを示す図である。
【図３７】図３７は、本発明の他の実施例によるＤＣＩフォーマットを示す図である。
【図３８】図３８は、本発明の実施例によるストリームインデックスまたは割り当てられたＤＲＳをマッピングするために使用される表を示す図である。
【図３９】図３９は、本発明の実施例によるＤＲＳセット番号フラグ及びＤＲＳセット指示子フラグでビット値の使用を示す図である。
【図４０】図４０は、本発明のさらに他の実施例によるＤＣＩフォーマットを示す図である。
【図４１】図４１は、本発明のさらに他の実施例によるＤＣＩフォーマットを示す図である。
【図４２】図４２は、本発明のさらに他の実施例によるＤＣＩフォーマットを示す図である。
【図４３】図４３は、本発明の他の実施例による割り当てられたＤＲＳまたはストリームインデックスをマッピングするために使用される表を示す図である。
【発明を実施するための形態】
【００１６】
この特許文書で、以下で論議される、図１〜図４１、及び本発明の原理として記述するために使用される多様な実施例は、ただ例として説明するためのものであり、本発明の範囲を限定しようとするものではない。この発明の属する技術分野における通常の知識を有する者なら本発明の原理を通じて或る適切に変形された無線通信システムに適用することができることを理解することができる。
【００１７】
下記の詳細な説明を考慮すれば、ＬＴＥ用語である”ノードＢ（ｎｏｄｅ  Ｂ）”は、以下で使用された”基地局（ｂａｓｅ  ｓｔａｔｉｏｎ）”に対して同一の対象を異なって示す用語であることを言及する。また、ＬＴＥ用語である”ユーザ端末（ｕｓｅｒ  ｅｑｕｉｐｍｅｎｔまたはＵＥ）”は、以下で使用された”加入者端末（ｓｕｂｓｃｒｉｂｅｒ  ｓｔａｔｉｏｎ）”に対して同一の対象を異なって示す用語である。
【００１８】
図１は、無線ネットワーク１００の例を示し、これは、本発明の実施例によるメッセージを伝送する。実施例に示されたように、無線ネットワーク１００は、基地局（ＢＳ）１０１、基地局１０２、基地局１０３及び他の類似の基地局（図示せず）を含む。
【００１９】
基地局１０１は、インターネット１３０または類似のＩＰ基盤のネットワーク（図示せず）と通信状態にある。
【００２０】
基地局１０２は、基地局１０２のカバレージ領域１２０内にある第１複数の加入者端末にインターネット１３０に対する無線広帯域接続を提供する。第１複数の加入者端末は、小さい事業場（ＳＢ、ｓｍａｌｌ  ｂｕｓｉｎｅｓｓ）に位置することができる加入者端末１１１、企業事業場（Ｅ、ｅｎｔｅｒｐｒｉｓｅ）に位置することができる加入者端末１１２、ＷｉＦｉホットスポット（ｈｏｔｓｐｏｔ、ＨＳ）に位置することができる加入者端末１１３、第１居住地（Ｒ）に位置することができる加入者端末１１４、第２居住地（Ｒ）に位置することができる加入者端末１１５及び携帯電話、無線ラップトップ、無線ＰＤＡなどのような移動装置（Ｍ、ｍｏｂｉｌｅ  ｄｅｖｉｃｅ）になることができる加入者端末１１６を含む。
【００２１】
基地局１０３は、基地局１０３のカバレージ領域１２５内に位置する第２複数の加入者端末にインターネット１３０に対する無線広帯域接続を提供する。第２複数の加入者端末は、加入者端末１１５及び加入者端末１１６を含む。実施例において、基地局１０１〜１０３は、ＯＦＤＭまたはＯＦＤＭＡ技術を利用して、相互、そして加入者端末１１１〜１１６と通信することができる。
【００２２】
ただ６個の加入者端末が図１に示されたが、無線ネットワーク１００は、追加の加入者端末に無線広帯域接続を提供することができるものと理解しなければならない。加入者端末１１５及び加入者端末１１６は、カバレージ領域１２０及びカバレージ領域１２５の両方の端部（ｅｄｇｅ）に位置することに留意されたい。加入者端末１１５及び加入者端末１１６の各々は、基地局１０２及び基地局１０３の両方と通信し、当業者に広く知られたハンドオフモード（ｈａｎｄｏｆｆ  ｍｏｄｅ）で動作するものと言える。加入者端末１１１〜１１６は、音声、データ、ビデオ、ビデオ会議、及び／または他の広帯域サービスにインターネット１３０を通じて接続することができる。実施例において、１つ以上の加入者端末１１１〜１１６は、ＷｉＦｉ無線ラン（ＷＬＡＮ）のアクセスポイント（ＡＰ）と関連されることができる。加入者端末１１６は、無線連結可能なラップトップコンピュータ、ＰＤＡ（ｐｅｒｓｏｎａｌ  ｄａｔａ  ａｓｓｉｓｔａｎｔ）、ノートパソコン、携帯用装置、または他の無線連結可能な装置を含む多数の移動装置のうちいずれか１つになることができる。加入者端末１１４及び１１５は、例えば、無線連結可能なパソコン（ＰＣ）、ラップトップコンピュータ、ゲートウェイまたは他の装置になることができる。
【００２３】
図２は、直交周波数分割多重接続（ＯＦＤＭＡ、ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）伝送経路２００の上位レベルを示す図である。図３は、直交周波数分割多重接続（ＯＦＤＭＡ）受信経路３００の上位レベルを示す図である。図２及び図３で、ＯＦＤＭＡ伝送経路２００は、基地局１０２に具現される。また、ＯＦＤＭＡ受信経路３００は、加入者端末１１６に具現され、これらは、ただ説明及び例示のための目的に使用される。しかし、当業者ならＯＦＤＭＡ受信経路３００が基地局１０２に具現され、ＯＦＤＭＡ伝送経路２００が加入者端末１１６に具現されることができることを理解することができる。
【００２４】
基地局１０２において伝送経路２００は、チャネルコーディング及び変調ブロック２０５、直並列変換（ｓｅｒｉａｌ−ｔｏ−ｐａｒａｌｌｅｌ、Ｓ−ｔｏ−Ｐ）ブロック２１０、サイズＮの逆高速フーリエ変換（ＩＦＦＴ、Ｉｎｖｅｒｓｅ  Ｆａｓｔ  Ｆｏｕｒｉｅｒ  Ｔｒａｎｓｆｏｒｍ）ブロック２１５、並直列変換（ｐａｒａｌｌｅｌ−ｔｏ−ｓｅｒｉａｌ、Ｐ−ｔｏ−Ｓ）ブロック２２０、ＣＰ（ｃｙｃｌｉｃ  ｐｒｅｆｉｘ）付着ブロック２２５、及びアップコンバータ（ＵＣ）２３０、レファレンス信号多重化器２９０、レファレンス信号割当器２９５を含む。
【００２５】
加入者端末１１６の受信経路３００は、ダウンコンバータ（ＤＣ）２５５、ＣＰ除去ブロック２６０、直並列変換ブロック２６５、サイズＮの高速フーリエ変換（ＦＦＴ）ブロック２７０、並直列変換ブロック２７５及びチャネルデコーディング及び復調ブロック２８０を含む。図２及び図３の少なくとも一部のコンポネントは、ソフトウェアで具現されることができ、一方、他のコンポネントは、構成可能な（ｃｏｎｆｉｇｕｒａｂｌｅ）ハードウェアまたは構成可能なハードウェアとソフトウェアの組合で具現されることができる。特に、本発明の明細書に記述されるＦＦＴブロック及びＩＦＦＴブロックは、構成可能なソフトウェアアルゴリズムで具現されることができることを言及する。ここで、サイズＮの値は、具現によって調節されることができる。
【００２６】
さらに、本発明は、高速フーリエ変換（ＦＦＴ）及び逆高速フーリエ変換（ＩＦＦＴ）を実行する実施例に関するものであるが、これは、説明のためのものであり、本発明の範囲を制限するためのものと解すべきではない。これは、ＦＦＴ機能及びＩＦＦＴ機能は、簡単に、各々ＤＦＴ（Ｄｉｓｃｒｅｔｅ  Ｆｏｕｒｉｅｒ  Ｔｒａｎｓｆｏｒｍ）機能及びＩＤＦＴ（Ｉｎｖｅｒｓｅ  Ｄｉｓｃｒｅｔｅ  Ｆｏｕｒｉｅｒ  Ｔｒａｎｓｆｏｒｍ）に交替されることができる、本発明の代案的実施例があることを認識しなければならない。ＤＦＴ及びＩＤＦＴ機能に対する、Ｎ変数の値は、いずれの整数（例えば、１、２、３、４など）でもよく、一方、ＦＦＴ及びＩＦＦＴ機能に対する、Ｎ変数の値は、２の累乗になる整数（例えば、１、２、４、８、１６など）になることが分かる。
【００２７】
基地局１０２で、チャネルコーディング及び変調ブロック２０５は、情報ビットのセットを受信し、コーディング（例えば、ターボコーディング）に適用し、入力信号を変調（例えば、ＱＰＳＫ、ＱＡＭ）し、周波数ドメイン変調シンボルのシーケンスを生成する。直並列変換ブロック２１０は、直列の変調されたシンボルを並列のデータに変換（例えば、逆多重化（ｄｅ−ｍｕｌｔｉｐｌｅｘｅｓ））し、Ｎ個の並列シンボルストリームを生成する。ここで、Ｎは、基地局１０２及び加入者端末１１６で使用されるＩＦＦＴ／ＦＦＴサイズである。その後、サイズＮのＩＦＦＴブロック２１５は、Ｎ個の並列シンボルストリームにＩＦＦＴ動作を行い、時間ドメイン出力信号を生成する。並直列ブロック２２０は、サイズＮのＩＦＦＴブロック２１５からの並列の時間ドメイン出力シンボルを変換（例えば、多重化（ｍｕｌｔｉｐｌｅｘｅｓ））し、直列の時間ドメイン信号を生成する。その後、ＣＰ追加ブロック２２５は、時間ドメイン信号にＣＰ（循環前置（ｃｙｃｌｉｃ  ｐｒｅｆｉｘ））を挿入する。最後に、アップコンバータ２３０は、ＣＰ追加ブロック２２５の出力を無線チャネルを通じて伝送するための高周波（ＲＦ  ｆｒｅｑｕｅｎｃｙ）に変調（例えば、上昇変換（ｕｐ−ｃｏｎｖｅｒｔｓ））し、また、この信号は、高周波に変換される前に、基底帯域（ｂａｓｅｂａｎｄ）でフィルタリンされることができる。一実施例において、レファレンス信号多重化器２９０は、ＴＦＤＭ（時間／周波数分割多重化、ｔｉｍｅ／ｆｒｅｑｕｅｎｃｙ  ｄｉｖｉｓｉｏｎ  ｍｕｌｔｉｐｌｅｘｉｎｇ）またはＣＤＭ（コード分割多重化、ｃｏｄｅ  ｄｉｖｉｓｉｏｎ  ｍｕｌｔｉｐｌｅｘｉｎｇ）を利用してレファレンス信号を多重化するように動作することができる。レファレンス信号割当器２９５は、本発明の実施例による方法及びシステムによってＯＦＤＭ信号でレファレンス信号を動的に割り当てるように動作することができる。
【００２８】
伝送された高周波（ＲＦ）信号は、無線チャネルを通過した後、加入者端末１１６に到着し、基地局１０２で行われた動作の逆動作が行われる。ダウンコンバータ２５５は、受信された信号を基底帯域周波数にダウンコンバートし、ＣＰ除去ブロック２６０は、ＣＰを除去し、直列の時間ドメイン基底帯域信号を生成する。直並列変換ブロック２６５は、時間ドメイン基底帯域信号を変換し、並列の時間ドメイン信号を生成する。その後、サイズＮ ＦＦＴブロック２７０は、ＦＦＴアルゴリズムを行い、Ｎ個の並列の周波数ドメイン信号を生成する。並直列変換ブロック２７５は、並列の周波数ドメイン信号を変調されたデータシンボルのシーケンスに変換する。チャネルデコーディング及び復調ブロック２８０は、変調されたシンボルを復調し、デコーディングし、元々の入力データストリームを復元する。
【００２９】
各基地局１０１〜１０３は、加入者端末１１１〜１１６に対するダウンリンクで伝送と類似の伝送経路を実行し、加入者端末１１１〜１１６からの上向きリンクで受信と類似な受信経路を実行することができる。同様に、加入者端末１１１〜１１６のうち各々のものは、基地局１０１〜１０３に対する上向きリンクで伝送のためのアキテクチャーによって伝送経路を実行することができ、基地局１０１〜１０３からのダウンリンクで受信のためのアキテクチャーによって受信経路を行うことができる。
【００３０】
ＯＦＤＭシステムで全体帯域幅は、サブキャリアと呼ばれる狭帯域（ｎａｒｒｏｗ  ｂａｎｄ）周波数ユニットに分割される。サブキャリアの数は、システムで使用されるＦＦＴ／ＩＦＦＴサイズＮと同一である。一般的に、周波数スペクトルの端部にあるサブキャリアは、保護サブキャリアとして予約されているので、データのために使用されるサブキャリアの数は、Ｎ個より小さい。一般的に、保護サブキャリアには、いずれの情報も伝送されない。
【００３１】
【数１】
0005624131.tif 000002
【００３２】
ＬＴＥで、２つの目的でダウンリンクレファレンス信号（ＲＳｓ）が使用される。第一、端末は、ダウンリンクレファレンス信号を利用してチャネル品質情報（ＣＱＩ、ｃｈａｎｎｅｌ  ｑｕａｌｉｔｙ  ｉｎｆｏｒｍａｔｉｏｎ）、ランク情報（ＲＩ、ｒａｎｋ  ｉｎｆｏｒｍａｔｉｏｎ）及びプリコーダマトリックス情報（ＰＭＩ、ｐｒｅｃｏｄｅｒ  ｍａｔｒｉｘ  ｉｎｆｏｒｍａｔｉｏｎ）を測定する。第二、各端末は、ダウンリンクレファレンス信号を利用してその自体に対する目的でダウンリンク伝送信号を変調する。追加に、ダウンリンクレファレンス信号は、３個のカテゴリーに分割される。セル−特定レファレンス信号（ｃｅｌｌ−ｓｐｅｃｉｆｉｃ  ＲＳｓ）、ＭＢＳＦＮ（単一周波数ネットワークを介したマルチメディア放送、ｍｕｌｔｉ−ｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ）レファレンス信号、及び、端末特定レファレンス信号（ＵＥ−ｓｐｅｃｉｆｉｃ  ＲＳｓ）または専用レファレンス信号（ＤＲＳｓ）がそれである。
【００３３】
【数２】
0005624131.tif 000003
【００３４】
端末特定レファレンス信号（または専用ＲＳ：ＤＲＳ）は、ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）で単一−アンテナ−ポート伝送が支援され、アンテナポート５を通じて伝送される。端末は、上位階層（上位階層信号）によって端末特定レファレンス信号が存在するか、そしてＰＤＳＣＨ復調のための有効な相レファレンスであるか否かに対する情報を提供される。端末特定レファレンス信号は、ただ対応するＰＤＳＣＨがマッピングされたリソースブロックで伝送される。
【００３５】
ＬＴＥシステムの時間資源は、１０ｍｓｅｃフレームに分割され、そして、各フレームは、各々１ｍｓｅｃ期間を有する１０サブフレームにさらに分割される。サブフレームは、２個の時間スロットに分割され、各々は、０．５ｍｓｅｃの期間を有する。サブフレームは、周波数ドメイン上で多重のリソースブロック（ＲＢｓ）に分割される。ここで、リソースブロック（ＲＢ）は、１２個のサブキャリアで構成される。
【００３６】
図４は、本発明の実施例による複数の移動端末４０２、４０４、４０６及び４０８と通信する基地局４２０の図面４００を示す。
図４に示されたように、基地局４２０は、同時に多重アンテナビームを利用して多重の移動端末と通信し、各アンテナビームは、同時に同一の周波数で意図された移動端末に向かって形成される。基地局４２０及び移動端末４０２、４０４、４０６及び４０８は、ラジオ波形（ｒａｄｉｏ  ｗａｖｅ）信号を伝送し受信するために多重アンテナを採択している。ラジオ波形信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号になることができる。
【００３７】
一実施例において、基地局４２０は、各移動端末に対して複数のトランスミッタ（ｔｒａｎｓｍｉｔｔｅｒｓ）を通じて同時にビームフォーミングを行う。例えば、基地局４２０は、ビームフォーミングされた信号４１０を通じてデータを移動端末４０２に伝送し、ビームフォーミングされた信号４１２を通じてデータを移動端末４０４に伝送し、ビームフォーミングされた信号４１４を通じてデータを移動端末４０６に伝送し、ビームフォーミングされた信号４１６を通じてデータを移動端末４０８に伝送する。本発明の一実施例において、基地局４２０は、移動端末４０２、４０４、４０６、及び４０８に同時にビームフォーミングを行うことができる。一実施例において、各ビームフォーミングされた信号は、同一の時間及び同一の周波数でこれが意図した移動端末に向かって形成される。明確にするために、基地局から移動端末への通信は、知られたダウンリンク通信に適用され、また、移動端末から基地局への通信は、上向きリンク通信に適用される。
【００３８】
基地局４２０及び移動端末４０２、４０４、４０６及び４０８は、無線信号を伝送し受信するための多重アンテナを採択する。無線信号は、ラジオ波形信号になることができ、無線信号は、直交周波数分割多重化（ＯＦＤＭ）伝送スキームを含む当業者に知られたいずれの伝送スキームでも使用することができることを理解しなければならない。
【００３９】
移動端末４０２、４０４、４０６、及び４０８は、無線信号を受信することができるいずれの装置でもよい。移動端末４０２、４０４、４０６、及び４０８の例は、これらに限定されないが、ＰＤＡ、ラップトップ、モバイルフォン、携帯用装置、またはビームフォーミングされた伝送を受信することができるいずれの他の装置をも含む。
【００４０】
無線通信チャネルの容量及び信頼度を向上させるために、基地局及び単一移動端末で両者で多重伝送アンテナ及び多重伝送アンテナを使用することは、単一ユーザ多重入力多重出力（ＳＵ−ＭＩＭＯ、Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）システムと知られている。ＭＩＭＯシステムは、容量がＫで線形増加することを約束する。ここで、Ｋは、伝送（Ｍ）及び受信アンテナ（Ｎ）の最小数である。例えば、Ｋ＝ｍｉｎ（Ｍ．Ｎ）である。ＭＩＭＯシステムは、空間多重化（ｓｐａｔｉａｌ  ｍｕｌｔｉｐｌｅｘｉｎｇ）、伝送／受信ビームフォーミング、または伝送／受信ダイバシティ（ｄｉｖｅｒｓｉｔｙ）で具現されることができる。
【００４１】
ＳＵ−ＭＩＭＯの拡張である、多重ユーザＭＩＭＯ（ＭＵ−ＭＩＭＯ）は、通信シナリオである。これは、多重伝送アンテナを有する基地局が、無線通信チャネルの容量及び信頼度を向上させるための空間分割多重接続（ＳＤＭＡ、Ｓｐａｔｉａｌ  Ｄｉｖｉｓｉｏｎ  Ｍｕｌｔｉｐｌｅ  Ａｃｃｅｓｓ）のような多重ユーザビームフォーミングスキームの使用を通じて、多重（多数の）移動端末と同時に通信することができるということである。
【００４２】
図５は、本発明の実施例によるＳＤＭＡスキームを示す。
図５に示すように、基地局４２０が８個の伝送アンテナが装着されたのに対し、移動端末４０２、４０４、４０６、及び４０８は、各々２個のアンテナが装着される。この実施例において、基地局４２０は、８個の伝送アンテナを有する。各伝送アンテナは、ビームフォーミングされた信号４１０、５０２、５０４、４１２、４１４、５０６、４１６及び５０８のうち１つを伝送する。この実施例において、移動端末４０２は、ビームフォーミングされた伝送４０１及び５０２を受信し、移動端末４０４は、ビームフォーミングされた伝送５０４及び４１２を受信し、移動端末４０６は、ビームフォーミングされた伝送５０６及び４１４を受信し、移動端末４０８は、ビームフォーミングされた伝送５０８及び４１６を受信する。
【００４３】
基地局４２０が８個の伝送アンテナビームを有するので（各アンテナビームは、データストリームのうち１つのデータストリームである）、ビームフォーミングされたデータの８個のストリームは、基地局４２０に形成される。各移動端末は、この例においてデータの最大２個のストリーム（ビーム）を受信することができる（受信することができる能力を有する）。各移動端末４０２、４０４、４０６、及び４０８は、多重ストリームの代わりに、ただデータの１つの断尾をストリーム（ビーム）を受信するように制限される。同時に、これは、多重ユーザビームフォーミング（すなわち、ＭＵ−ＢＦ、ｍｕｌｔｉ−ｕｓｅｒ  ｂｅａｍ  ｆｏｒｍｉｎｇ）になることができる。
【００４４】
閉ループ固定コードブック伝送ビームフォーミングは、ＷＩＭＡＸまたは３ＧＰＰ ＬＴＥのような多くの無線システムで採択された。そのようなシステムに対する説明が例えば、３ＧＰＰ ＴＳ３６．２１１で、”Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）：Ｐｈｙｓｉｃａｌ  Ｃｈａｎｎｅｌ  ａｎｄ  Ｍｏｄｕｌａｔｉｏｎ”及びＩＥＥＥ８０２．１６ｅの”Ｐａｒｔ  １６：Ａｉｒ  Ｉｎｔｅｒｆａｃｅ  ｆｏｒ  Ｆｉｘｅｄ  ａｎｄ  Ｍｏｂｉｌｅ  Ｂｒｏａｄｂａｎｄ  Ｗｉｒｅｌｅｓｓ  Ａｃｃｅｓｓ  Ｓｙｓｔｅｍｓ”にある。２つのレファレンスは、いずれもその全体が本文書に記述されたように、参照として本発明に統合される。閉ループコードブックビームフォーミングシステムにおいて、伝送機は、パイロット信号またはチャネルサウンディング信号を受信機に伝送する。また、受信機は、チャネル情報を測定し、観測されたチャネルに最適にマッチングされるコードブック内の最適のコードワードを算出する。その後、最適のコードワード情報は、伝送機にフィードバックされる。すると、伝送機は、伝送アンテナビームフォーミングのための最適のコードブック情報を使用する。
【００４５】
本発明の一実施例において、ダウンリンク制御情報（ＤＣＩ）フォーマット１Ａは、ダウンリンク制御チャネル（ＰＤＣＣＨ）手順によって開始されるランダムアクセスプロシージャ及び１つのＰＤＳＣＨコードワードの簡略化されたスケジューリングに使用される。
【００４６】
次の情報は、ＤＣＩフォーマット１Ａの手段によって伝送される。
−フォーマット０／フォーマット１Ａ区分のためのフラグ−１ビット。ここで、値０は、フォーマット０を示し、値１は、フォーマット１Ａを示す。
【００４７】
フォーマット１Ａは、フォーマット１Ａ  ＣＲＣがＣ−ＲＮＴＩ（セル無線ネットワーク臨時識別子、ｃｅｌｌ  ｒａｄｉｏ  ｎｅｔｗｏｒｋ  ｔｅｍｐｏｒａｒｙ  ｉｄｅｎｔｉｆｉｅｒ）とともにスクランブルされる時にのみ、ＰＤＣＣＨ手順によって開始されるランダムアクセスプロシージャに使用される。また、すべての残されたフィールドは、次のように設定される。
【００４８】
−地域化／分散された仮想リソースブロック（ＶＲＢ）割り当てフラグ−１ｂｉｔは、’０’に設定される。
【００４９】
【数３】
0005624131.tif 000004
【００５０】
−プリエムブルインデックス−６ｂｉｔｓ及び
−物理ランダムアクセスチャネル（ＰＲＡＣＨ）マスクインデックス−４ｂｉｔｓ
１つのＰＤＳＣＨコードワードの簡略化されたスケジューリング割り当てのためにフォーマット１Ａにすべての残されたビットを０に設定される。
【００５１】
その他：
地域化／分散されたＶＲＢ割り当てフラグ-１ｂｉｔ、これは、２００９年３月発行された、３ＧＰＰ  ＴＳ ３６．２１３ ｖ８．６．０のセクション７．１．６．３、”Ｅ−ＵＴＲＡ、Ｐｈｙｓｉｃａｌ  Ｌａｙｅｒ  Ｐｒｏｃｅｄｕｒｅｓ”で定義された。これは、その全体が本文書に記述されたように、参照として本発明に統合される。
【００５２】
【数４】
0005624131.tif 000005
【００５３】
【数５】
0005624131.tif 000006
【００５４】
【数６】
0005624131.tif 000007
【００５５】
【数７】
0005624131.tif 000008
【００５６】
−変調及びコーディングスキーム（ＭＣＳ）−５ｂｉｔｓ、これは、２００９年３月発行された、３ＧＰＰ  ＴＳ ３６．２１３ ｖ８．６．０のセクション７．１．７、”Ｅ−ＵＴＲＡ、Ｐｈｙｓｉｃａｌ  Ｌａｙｅｒ  Ｐｒｏｃｅｄｕｒｅｓ”に定義され、その全体が本文書に記述されたように、参照として本発明に統合される。
【００５７】
−ハイブリッド自動繰り返し要請（ＨＡＲＱ）プロセス番号−周波数分割多重化（ＦＤＤ）に対する３ｂｉｔｓ、時間分割多重化（ＴＤＤ）に対する４ｂｉｔｓ
【００５８】
−新しいデータ指示子（ＮＤＩ）−１ｂｉｔ。
フォーマット１Ａ ＣＲＣがＲＡ−ＲＮＴＩ、Ｐ−ＲＮＴＩまたはＳＩ−ＲＩＴＩによってスクランブルされれば：
【００５９】
【数８】
0005624131.tif 000009
【００６０】
その他、他の新しいデータ指示子（ＮＤＩ）ビットは予約される。
その他のもの
−新しいデータ指示子（ＮＤＩ）ビット。
−リダンダンシーバージョン−２ｂｉｔｓ
【００６１】
物理アップリンク制御チャネル（ＰＵＣＣＨ）のための伝送パワー制御（ＴＰＣ）命令−２ｂｉｔｓ、これは、２００９年３月発行された、３ＧＰＰ  ＴＳ ３６．２１３ ｖ８．６．０のセクション５．１．２．１、”Ｅ−ＵＴＲＡ、Ｐｈｙｓｉｃａｌ  Ｌａｙｅｒ  Ｐｒｏｃｅｄｕｒｅｓ”に定義され、その全体が本文書に記述されたように、参照として本発明に統合される。
【００６２】
−もし、フォーマット１Ａ ＣＲＣがＲＡ−ＲＮＴＩ、Ｐ−ＲＮＴＩ、またはＳＩ−ＲＮＴＩによってスクランブルされれば、
ＴＰＣ命令のＭＳＢ（ｍｏｓｔｓ  ｉｇｎｉｆｉｃａｎｔ  ｂｉｔ）が予約される。
【００６３】
【数９】
0005624131.tif 000010
【００６４】
【数１０】
0005624131.tif 000011
【００６５】
−その他のもの
ＭＳＢ（ｍｏｓｔ  ｓｉｇｎｉｆｉｃａｎｔ  ｂｉｔ）を含む２ｂｉｔｓは、ＴＰＣ命令を示す。
【００６６】
−ダウンリンク割り当てインデックス（このフィールドは、すべての上向きリンク−ダウンリンク構成に対してＴＤＤに提供される。このフィールドは、ＦＤＤに提供されない。）−２ｂｉｔｓ。
フォーマット１Ａで情報ビットの数がフォーマット０の情報ビットの数より小さければ、ペイロードサイズがフォーマット０の情報ビットの数と同一になるまで０はフォーマット１Ａに付着される。
【００６７】
フォーマット１Ａの情報ビットの数が、２００９年３月発行され、その全体が本文書に記述されたように、参照として本発明に統合された、”Ｅ−ＵＴＲＡ、Ｐｈｙｓｉｃａｌ  Ｌａｙｅｒ  Ｐｒｏｃｅｄｕｒｅｓ”、３ＧＰＰ  ＴＳ ３６．２１３ ｖ８．６．０の表５．３．３．１．２−１のサイズのうち１つに属すれば、１つの０ビットがフォーマット１Ａに付着される。
【００６８】
フォーマット１Ａ ＣＲＣがＲＡ−ＲＮＴＩ、Ｐ−ＲＮＴＩ、または、ＳＩ−ＲＮＴＩとスクランブルされる時、上記フィールドのうち次のフィールドは、予約される。
【００６９】
−ＨＡＲＱプロセス数及び
−ダウンリンク割り当てインデックス（ただＴＤＤだけで使用され、ＦＤＤでは、提供されない）。
【００７０】
他の実施例において、ＤＣＩフォーマット２Ａは、ダウンリンク開ループ空間多重化のために定義され、これは、２００９年３月発行された、３ＧＰＰ ＴＳ３６．２１２ｖ８．６．０のセクション５．３．３．１．５Ａ、”Ｅ−ＵＴＲＡ、Ｍｕｌｔｉｐｌｅｘｉｎｇ  ａｎｄ  Ｃｈａｎｎｅｌ  Ｃｏｄｉｎｇ”に介在されていて、その全体が本文書に記述されたように、参照として本発明に統合される。
【００７１】
次の情報は、ＤＣＩフォーマット２Ａの手段によって伝送される。
リソース割り当てヘッダー（リソース割り当て形式０／形式１）−１ｂｉｔ、これは、２００９年３月発行された、３ＧＰＰ  ＴＳ ３６．２１３ ｖ８．６．０のセクション７．１．６、”Ｅ−ＵＴＲＡ、Ｐｈｙｓｉｃａｌ  Ｌａｙｅｒ  Ｐｒｏｃｅｄｕｒｅｓ”に定義され、その全体が本文書に記述されたように、参照として本発明に統合される。
【００７２】
ダウンリンク帯域幅が１０（個の）物理リソースブロック（ＰＲＢｓ）と同一であるか、少なければ、リソース割り当てヘッダーは、存在せず、リソース割り当て形式０が推定される。
【００７３】
−リソースブロック割り当て：
リソース割り当て形式０に対して２００９年３月発行された、３ＧＰＰ  ＴＳ ３６．２１３ ｖ８．６．０のセクション７．１．６．１、“Ｅ−ＵＴＲＡ、Ｐｈｙｓｉｃａｌ  Ｌａｙｅｒ  Ｐｒｏｃｅｄｕｒｅｓ”に定義され、その全体が本文書に記述されたように、参照として本発明に統合される。
【００７４】
【数１１】
0005624131.tif 000012
【００７５】
【数１２】
0005624131.tif 000013
【００７６】
Ｐの値は、ダウンリンクリソースブロックの数に依存し、これは、２００９年３月発行された、３ＧＰＰ  ＴＳ ３６．２１３ ｖ８．６．０の下部項目［７．１．６．１］、”Ｅ−ＵＴＲＡ、Ｐｈｙｓｉｃａｌ  Ｌａｙｅｒ  Ｐｒｏｃｅｄｕｒｅｓ”に示されていて、その全体が本文書に記述されたように、参照として本発明に統合される。
【００７７】
−ＰＵＣＣＨのためのＴＰＣ命令−２ｂｉｔｓ、これは、２００９年３月発行された、３ＧＰＰ  ＴＳ ３６．２１３ ｖ８．６．０のセクション５．１．２．１、”Ｅ−ＵＴＲＡ、Ｐｈｙｓｉｃａｌ  Ｌａｙｅｒ  Ｐｒｏｃｅｄｕｒｅｓ”に定義されていて、その全体が本文書に記述されたように、参照として本発明に統合される。
【００７８】
−ダウンリンク割り当てインデックス（このフィールドは、すべての上向きリンク−ダウンリンク構成のためにＴＤＤで提供される。このフィールドは、ＦＤＤでは提供されない。）−２ｂｉｔｓ
【００７９】
−ＨＡＲＱプロセス番号−３ｂｉｔｓ（ＦＤＤ）、４ｂｉｔｓ（ＴＤＤ）。
【００８０】
−コードワードスワップフラグのための伝送ブロック-１ｂｉｔ。
追加に、伝送ブロック１に対して：
【００８１】
−変調及びコーディングスキーム−５ｂｉｔｓ、これは、２００９年３月発行された、３ＧＰＰ  ＴＳ ３６．２１３ ｖ８．６．０のセクション７．１．７、”Ｅ−ＵＴＲＡ、Ｐｈｙｓｉｃａｌ  Ｌａｙｅｒ  Ｐｒｏｃｅｄｕｒｅｓ”に定義されていて、その全体が本文書に記述されたように、参照として本発明に統合される。
【００８２】
−新しいデータ指示子（ＮＤＩ）−１ｂｉｔ。
−リダンダンシーバージョン-２ｂｉｔｓ。
【００８３】
追加に伝送ブロック２に対して：
−変調及びコーディングスキーム−５ｂｉｔｓ、これは、２００９年３月発行された、３ＧＰＰ  ＴＳ ３６．２１３ ｖ８．６．０のセクション７．１．７、”Ｅ−ＵＴＲＡ、Ｐｈｙｓｉｃａｌ  Ｌａｙｅｒ  Ｐｒｏｃｅｄｕｒｅｓ”に定義されていて、その全体が本文書に記述されたように、参照として本発明に統合される。
【００８４】
−新しいデータ指示子（ＮＤＩ）−１ｂｉｔ。
−リダンダンシーバージョン-２ｂｉｔｓ。
【００８５】
プリコーディング情報−ビット（ｂｉｔｓ）の数、これは、２００９年３月発行された、”Ｅ−ＵＴＲＡ、Ｍｕｌｔｉｐｌｅｘｉｎｇ  ａｎｄ  Ｃｈａｎｎｅｌ  Ｃｏｄｉｎｇ”、３ＧＰＰ ＴＳ３６．２１２ｖ８．６．０の表５．３．３．１．５Ａ−１に特定されていて、その全体が本文書に記述されたように、参照として本発明に統合される。
【００８６】
両方の伝送ブロックが可能なら（活性化されれば）、コードワードマッピングのための伝送ブロックが２００９年３月発行された、”Ｅ−ＵＴＲＡ、Ｍｕｌｔｉｐｌｅｘｉｎｇ  ａｎｄ  Ｃｈａｎｎｅｌ  Ｃｏｄｉｎｇ”、３ＧＰＰ ＴＳ３６．２１２ｖ８．６．０の表５．３．３．１．５Ａ−１によって特定される。この文書は、その全体が本文書に記述されたように、参照として本発明に統合される。
【００８７】
伝送ブロックのうち１つが不可能なら（不活性化されれば）、コードワードスワップフラグに対する伝送ブロックが予約され、コードワードマッピングのための伝送ブロックが、２００９年３月発行された、”Ｅ−ＵＴＲＡ、Ｍｕｌｔｉｐｌｅｘｉｎｇ  ａｎｄ  Ｃｈａｎｎｅｌ  Ｃｏｄｉｎｇ”、３ＧＰＰ ＴＳ３６．２１２ｖ８．６．０の表５．３．３．１．５−２によって特定される。この文書は、その全体が本文書に記述されたように、参照として本発明に統合される。
【００８８】
プリコーディング情報フィールドは、２００９年３月発行された、”Ｅ−ＵＴＲＡ、Ｍｕｌｔｉｐｌｅｘｉｎｇ  ａｎｄ  Ｃｈａｎｎｅｌ  Ｃｏｄｉｎｇ”、３ＧＰＰ ＴＳ ３６．２１２ ｖ８．６．０の表５．３．３．１．５Ａ−１によって定義され、この文書は、その全体が本文書に記述されたように、参照として本発明に統合される．単一の活性化されたコードワードのために、表５．３．３．１．５Ａ−２のインデックス１は、ただ、伝送ブロックがあらかじめ開ループ空間多重化とともに２階層を利用して伝送されたら、対応する伝送ブロックの再伝送だけのために支援される。
【００８９】
２個のアンテナフォトを介した伝送に対して、プリコーディング情報フィールドは提供されない。伝送階層の数は、コードワードの両方が活性化されれば、２個と同一である。コードワード０が活性化され、コードワード１が不活性化されれば、伝送ダイバシティが使用される。
【００９０】
フォーマット２Ａで情報ビットの数が表５．３．３．１．２−１のサイズのうちいずれか１つに属する場合、１つのゼロ（０）ビットがフォーマット２Ａに付着される。
変調手順決定（Ｍｏｄｕｌａｔｉｏｎ  ｏｒｄｅｒ  ｄｅｔｅｒｍｉｎａｔｉｏｎ）は、空間多重化のために２００９年３月発行された、３ＧＰＰ ＴＳ ３６．２１３ ｖ８．６．０のセクション７．１．７．１、”Ｅ−ＵＴＲＡ、Ｐｈｙｓｉｃａｌ Ｌａｙｅｒ Ｐｒｏｃｅｄｕｒｅｓ”に定義され、その全体が本文書に記述されたように、参照として本発明に統合される。
【００９１】
【数１３】
0005624131.tif 000014
【００９２】
【数１４】
0005624131.tif 000015
【００９３】
【数１５】
0005624131.tif 000016
【００９４】
【数１６】
0005624131.tif 000017
【００９５】
この文書は、その全体が本文書に記述されたように、参照として本発明に統合される。この時、伝送ブロックが下記で特定されたＤＣＩフォーマット２及び２Ａで不活性化された場合は、除外される。伝送ブロックが２−階層空間多重化に対してマッピングされていない場合、ＴＢＳは、２００９年３月発行された、”Ｅ−ＵＴＲＡ、Ｐｈｙｓｉｃａｌ  Ｌａｙｅｒ  Ｐｒｏｃｅｄｕｒｅｓ”、３ＧＰＰ  ＴＳ ３６．２１３ ｖ８．６．０のセクション７．１．７．２．１の手続（ｐｒｏｃｅｄｕｒｅ）によって決定される。この文書は、その全体が本明細書に記述されたように、参照として本発明に統合される。伝送ブロックが２−階層空間多重化に対してマッピングされていない場合、ＴＢＳは、２００９年３月発行された、”Ｅ−ＵＴＲＡ、Ｐｈｙｓｉｃａｌ  Ｌａｙｅｒ  Ｐｒｏｃｅｄｕｒｅｓ”、３ＧＰＰ  ＴＳ ３６．２１３ ｖ８．６．０のセクション７．１．７．２．２の手続（ｐｒｏｃｅｄｕｒｅ）によって決定される。この文書は、その全体が本明細書に記述されたように、参照として本発明に統合される。
【００９６】
【数１７】
0005624131.tif 000018
【００９７】
ＰＤＣＣＨでシグナリングされたＮＤＩ及びＨＡＲＱプロセスＩＤ及び上述したことによって決定されたＴＢＳは、上位階層で伝達される。
復調レファレンス信号（ＤＭＲＳｓ、Ｄｅｍｏｄｕｌａｔｉｏｎ  ｒｅｆｅｒｅｎｃｅ  ｓｉｇｎａｌｓ）は、各端末の変調のために提供される。或る場合には、、ＤＭＲＳは、各端末に対して専用ＲＳ（ＤＲＳ）になることができ、１つの端末に提供されたＲＳは、同一の周波数帯域で隣接するか、または、同一のサブフレーム内で、他の周波数帯域でスケジューリングされた他の端末により使用されることができないことを意味する。多重−アンテナ伝送の場合で、ＤＲＳの数は、多重データストリームの数の復調のために提供される。そして、各ＤＲＳは、時にはデータストリームに使用される同一のプリコーダにプリコーディングされる。
【００９８】
図６は、本発明の実施例によるレファレンス信号パターンを示す。
図６は、２−ＤＲＳパターン６１０及び４−ＤＲＳパターン６２０を示す。レファレンス信号パターン６１０は、最大２階層伝送を支援することができるＦＤＭ／ＴＤＭパイロットパターンである。レファレンスパターン６１０で、ＤＲＳ ＲＥは、２個のグループに分割され、ＲＥは、０及び１でラベルが付いて分類される。ラベル０が付いたＤＲＳ ＲＥは、階層０に対するＤＲＳを伝達し、一方、ラベル１が付いたＤＲＳ ＲＥは、階層１に対するＤＲＳを伝達する。
【００９９】
レファレンス信号パターン６２０は、最大４階層伝送を支援するＣＤＭ／ＦＤＭパイロットパターンである。ここで、ＤＲＳ ＲＥは、さらに２個のグループに分類され、それらのうち１つは、０、１のラベルが付いて分類され、他の１つのグループは、２、３のラベルが付いて分類される。例えば、ラベル０、１が付いたＤＲＳ ＲＥは、階層０及び１に対するＤＲＳを伝達する。ここで、２レイヤーのＲＳは、コード分割多重化（ＣＤＭｅｄ、ｃｏｄｅ−ｄｉｖｉｓｉｏｎ  ｍｕｌｔｉｐｌｅｘｅｄ）される。ラベルが０、１が付いた２個の隣接したＤＲＳ ＲＥで、階層０に対するＤＲＳシンボルｒ０は、その結果が［ｒ０ｒ０］であるワルシコード（Ｗａｌｓｈ  ｃｏｄｅ）［１１］によって拡散された個のＲＥにマッピングされ、階層１に対するＤＲＳシンボルｒ１は、その結果が［ｒ１−ｒ１］であるワルシコード［１−１］によって拡散された２個のＲＥにマッピングされる。
【０１００】
一実施例において、第１端末及び第２端末は、サブフレーム内でスケジューリングされるものと推定される。
【０１０１】
１つのＭＵ−ＭＩＭＯ伝送モードで、第１端末のための、第１ＤＲＳパターンを意味するｉ＿ＤＲＳ＝０、ＤＲＳ（０）は、この端末のために使用される。
【０１０２】
第２端末のための、２番目のＤＲＳパターンを意味するｉ＿ＤＲＳ＝１、ＤＲＳ（１）は、この端末のために使用される。
【０１０３】
図７は、本発明の実施例によるユーザ装置の観点からレファレンスパターン６１０のレファレンス信号セクション（部分）及びデータ部分を示す。
図７は、レファレンスパターン６１０のＤＲＳ部分及びデータ部分上の第１及び第２端末の行動／観測を示す。レファレンス信号パターン７１０に示すように、第１端末は、ただＤＲＳ（０）だけをパイロットＲＥとして認識することができ、他のＲＥ（ＣＲＳ及びＤＲＳ（０）は除外）は、第１端末によりデータＲＥとして認識される。一方、レファレンス信号パターン７２０から分かるように、第２端末は、ＤＲＳ（１）をただパイロットＲＥとして認識することができ、他のＲＥ（ＣＲＳ及びＤＲＳ（１）は除外）は、第２端末によりデータＲＥとして認識される。
【０１０４】
図８は、本発明の他の実施例によって２個のユーザ装置の観点からレファレンスパターン６１０のレファレンス信号部分及びデータ部分を示す。
【０１０５】
他のＭＵ−ＭＩＭＯモードで、第１端末のための、第１ＤＲＳパターンを意味するＮ＿ＤＲＳ＝２及びＩ＿ＤＲＳ＝０、ＤＲＳ（０）は、この端末のために使用される。第２端末のための、第２ＤＲＳパターンを意味するＮ＿ＤＲＳ＝２及びＩ＿ＤＲＳ＝１、ＤＲＳ（１）は、この端末のために使用される。
【０１０６】
このような推定とともに、図８は、本発明の他の実施例によるレファレンスパターン６１０のＤＲＳ部分及びデータ部分での各端末の観測を示す。レファレンス信号パターン８１０に示すように、第１端末は、ＤＲＳ（０）をただパイロットＲＥとして認識することができ、他のＲＥ（ＣＲＳＤＲＳ（０）及びＤＲＳ（１）は除外）は、第１端末によりデータＲＥとして認識される。一方、レファレンス信号パターン８２０に示すように、第２端末は、ＤＲＳ（１）をただパイロットＲＥとして認識することができ、他のＲＥ（ＣＲＳ、ＤＲＳ（０）、ＤＲＳ（１）は除外）は、第２端末によりデータＲＥとして認識される。
【０１０７】
多重端末が同一の周波数帯域で共通−スケジューリングされる時、第１番号のストリームが第１端末に伝送され、第２番号のストリームが第２端末に伝送される。多重ユーザＭＩＭＯ伝送で各端末のＤＲＳをｅＮｏｄｅＢに対して提供するために、少なくとも２個の可能な方法が存在する。
【０１０８】
第１ＭＵ−ＭＩＭＯ方法で、ｅＮｏｄｅＢは、端末にＤＲＳの直交するセットを提供し、ここで、第１及び第２端末は、第１及び第２番号の直交ＤＲＳを受信することができる。第１番号及び第２番号のＤＲＳは、例えば、ＦＤＭ／ＴＤＭまたはＣＤＭにより直交し、多重化される。さらに、第１及び第２端末は、同一の時間−周波数リソースで共通−スケジューリングされた他の端末が存在することができることを認識することができる。
【０１０９】
第２ＭＵ−ＭＩＭＯ方法で、ｅＮｏｄｅＢは、第１及び第２番号のＤＲＳを第１及び第２端末に提供する。この方法で、第１番号及び第２番号のＤＲＳは、直交的に多重化されなくてもよい。さらに、第１及び第２端末は、同一の時間−周波数リソースで共通−スケジューリングされた他の端末が存在することができることを認識しなくてもよい。
【０１１０】
１つの例において、第１及び第２端末は、ｅＮｏｄｅＢによって同一の周波数帯域で共通スケジューリングされる。ここで、第１端末は、ストリーム０を受信することができ、第２端末は、ストリーム１を受信することができる。
【０１１１】
第１ＭＵ−ＭＩＭＯ方法を利用する時、第１端末は、ストリーム０とＤＲＳ０を一緒に受信することができる。一方、第２端末は、ストリーム１とＤＲＳ１を一緒に受信することができる。図６は、ＦＤＭ／ＴＤＭ及びＣＤＭを有する特定ＤＲＳパターンを示すことができる。例えば、ＦＤＭレファレンス信号パターン６１０で、第１端末は、ラベル０を有するＲＳ ＲＥでＤＲＳを受信することができる。一方、第２端末は、ラベル１を有するＲＳ ＲＥでＤＲＳを受信することができる。第１端末がダウンリンク伝送を受信し、他の端末が時間−周波数リソースで共通スケジューリングされたことを認知することができれば、第１端末は、他のＤＲＳ ＲＥ（例えば、ラベル１が付いたＲＳ ＲＥ）で干渉チャネルを測定し、復調に対する干渉情報を使用することを試みることができる。
【０１１２】
第２ＭＵ−ＭＩＭＯ方法を使用する時、第１及び第２端末のＤＲＳは、直交多重化が必ず必要なものではない。また、各端末は、端末がダウンリンク伝送を受信した時、時間−周波数リソースで共通スケジューリングされた端末はないものと推定する。言い換えれば、このＭＵ−ＭＩＭＯ方法で、端末は、ｅＮｏｄｅＢからＳＵ−ＭＩＭＯ伝送を期待する。１つの例において、第１及び第２端末は、両方ともＲＳ ＲＥ（例えば、図６でラベル０が付いたＲＳ ＲＥ）の同一のセットでＤＲＳを受信することができる。
【０１１３】
ｅＮｏｄｅＢセルの時間−周波数リソースで単一ユーザ伝送の場合、ＲＳスクランブルが端末に対して所望のＲＳ信号（重畳されるかまたは歪曲された信号のうち当該端末に対して伝送された信号）のセル間の干渉独立を形成するために使用されることができる。各ダウンリンク伝送で、端末は、所望のＲＳ信号のスーパーポジション（ｓｕｐｅｒｐｏｓｉｔｉｏｎ：重畳された信号）、他のセルから干渉されたＲＳ信号及び雑音である歪曲されたＲＳ信号を受信する。セルに特定されたＲＳスクランブルシーケンスとともに、端末により認識されたセル間干渉は、所望のＲＳ信号を独立させる（所望のＲＳ信号だけを分離する）。これは、チャネル推定を可能にする。
【０１１４】
多重ユーザ伝送の場合、ＤＲＳスクランブルのさらに多い考慮がチャネル推定及びセル間干渉推定に対して必要である。ＤＲＳスクランブルは、２つの方法が存在する。端末特定スクランブル方法で、ＤＲＳ０及びＤＲＳ１は、端末特定方法でスクランブルされる。セル特定スクランブル方法で、ＤＲＳ０及びＤＲＳ１は、セル特定方法でスクランブルされる。
【０１１５】
一実施例において、ＤＲＳは、端末特定スクランブル方法でスクランブルされ、第１ＭＵ−ＭＩＭＯ方法が使用される。２つの端末は、ＤＲＳの２個のセットに対してリソースの２個の直交セット（ＤＲＳ ＲＥ）を有することができる。この場合、第２端末が第１端末のＤＲＳに対してＲＳ ＲＥを認識することができるとしても、第２端末は、第１端末の識別子（ｉｄ）を知らないので、第２端末は、第１端末のストリームに対して使用されるスクランブルシーケンスを知らないことがある。このような場合、第２端末は、干渉チャネルを推定することができない。一方、第２ＭＵ−ＭＩＭＯ方法が使用される時、２個の端末は、ＤＲＳ ＲＥの同一のセットでそれらのＤＲＳを受信することができる。ＤＲＳ ＲＥのセットで、第２端末は、所望のＲＳ信号のスーパーポジション、第２端末に対して意図されて干渉されたＲＳ信号及び雑音である歪曲されたＲＳ信号を受信することができる。スクランブルシーケンスが端末に特定されたものである時、干渉されたＲＳ信号は、第２端末に対して所望のＲＳ信号として独立される。これは、第２端末が第１端末を目的にした干渉チャネルから分離するように当該チャネルを測定することを可能にする。
【０１１６】
他の実施例で、ＤＲＳは、セル特定スクランブル方法を利用してスクランブルされ、第１ＭＵ−ＭＩＭＯ方法が使用される。２個の端末は、ＤＲＳの２個のセットに対してリソース（ＤＲＳ ＲＥｓ）の２個の直交セットを有することができる。この場合で、第２端末が第１端末のＤＲＳに対してＲＳ ＲＥを知ることができれば、ＤＲＳは、セル特定されたものなので、第１端末のストリームに対してＤＲＳとして使用されるスクランブルシーケンスが知ることができる。この場合、第２端末は、ラベル０が付いたＤＲＳ ＲＥで伝送された干渉されたチャネルを推定することができる。一方、第２ＭＵ−ＭＩＭＯ方法が使用される時、２個の端末は、ＤＲＳ ＲＥの同一のセットでそれらのＤＲＳを受信することができる。ＤＲＳ ＲＥのセットで、第２端末は、所望のＲＳ信号のスーパーポジション、第２端末に対して干渉されたＲＳ信号、及び雑音である歪曲されたＲＳ信号を受信することができる。スクランブルシーケンスがセルで特定されたものである場合、干渉されたＲＳ信号は、所望のＲＳ信号とともに第２端末に合わせて調節される。この場合、第２端末は、ただ所望のチャネル及び干渉チャネルが重畳されたチャネルだけを測定することができる。これは、復調性能を劣化させることができる。
【０１１７】
したがって、１つのスクランブル方法は、両方のＭＵ−ＭＩＭＯシナリオで、復調性能及びチャネル推定向上を普遍的に提供することができない。したがって、本発明は、無線通信システムがＭＵ−ＭＩＭＯモードに少なくとも部分的に基礎したスクランブル方法を適応させるためのシステム及び方法を提供する。
【０１１８】
或る実施例において、端末特定スクランブル方法は、各ＤＲＳに対して初期シード（ｉｎｉｔｉａｌｉｚａｔｉｏｎ  ｓｅｅｄ）を有する。初期シードは、端末識別子（ＵＥ−ｉｄ）またはＲＮＴＩ数に依存する。初期シードは、アンテナポート識別子またはセル識別子に依存してもよく、または依存しなくてもよい。
【０１１９】
【数１８】
0005624131.tif 000019
【０１２０】
【数１９】
0005624131.tif 000020
【０１２１】
【数２０】
0005624131.tif 000021
【０１２２】
他の実施例において、セル特定スクランブル方法は、各ＤＲＳに対して初期シードを有する。また、初期シードは、セル識別子に依存する。初期シードは、アンテナポート識別子または端末識別子またはＲＮＴＩに依存してもよく、または依存しなくてもよい。
【０１２３】
【数２１】
0005624131.tif 000022
【０１２４】
【数２２】
0005624131.tif 000023
【０１２５】
【数２３】
0005624131.tif 000024
【０１２６】
スクランブルシーケンスが開始されれば、例えば、”ＭＥＴＨＯＤ  ＡＮＤ  ＳＹＳＴＥＭ  ＦＯＲ  ＭＵＬＴＩ−ＬＡＹＥＲ  ＢＥＡＭＦＯＲＭＩＮＧ”の名称で、２０１０年３月２９日付で米国正規出願、出願番号１２／７４９、３４０に記述された方法及びシステムによって、スクランブルシーケンスが生成される。この出願文書は、その全体が本明細書に記述されたように、参照として本発明に統合される。
【０１２７】
図９は、本発明の実施例によるレファレンス信号シーケンスを生成しマッピングするためのシステムを示す。
図９に示すように、システム９００は、２個の過程で、複数のＲＳシーケンスを生成し、生成されたＲＳシーケンスをアンテナポートの番号にマッピングする。生成されたＲＳシーケンスは、セル特定アンテナポートまたは端末特定（または専用）アンテナポートにマッピングされる。
【０１２８】
【数２４】
0005624131.tif 000025
【０１２９】
図１０は、本発明の実施例によるダウンリンクグラント（ＤＬ  ｇｒａｎｔ：端末に対して割り当てられたダウンリンク伝送資源を通知するために伝送される信号）に対して使用されるダウンリンク制御情報（ＤＣＩ、ｄｏｗｎｌｉｎｋ  ｃｏｎｔｒｏｌ  ｉｎｆｏｒｍ  ａｔｉｏｎ）フォーマットを要約した表１０００を示す。
【０１３０】
ＭＵ−ＭＩＭＯを支援するために、ｅＮｏｄｅＢ（または基地局）は、上位階層シグナリングによって端末に対する伝送モードを決定することができる。伝送モードで、ｅＮｏｄｅＢは、ダウンリンク伝送の多重形式、例えば、１つは、一般伝送のためのもの、他のものは、待機（ｆａｌｌｂａｃｋ）伝送のためのものなどでスケジューリングすることができる。伝送の他の形式に対して、ｅＮｏｄｅＢは、ダウンリンクグラント（ＤＬ  ｇｒａｎｔ）のために他のダウンリンク制御情報（ＤＣＩ、ｄｏｗｎｌｉｎｋ  ｃｏｎｔｒｏｌ  ｉｎｆｏｒｍ  ａｔｉｏｎ）フォーマットを伝送する。
【０１３１】
表１０００に示すように、一般伝送モードは、ＤＣＩフォーマット２Ａ’によってスケジューリングされ、伝送が半永久的伝送資源に対するスケジューリング（ＳＰＳ、ｓｅｍｉ−ｐｅｒｓｉｓｔｅｎｔ  ｓｃｈｅｄｕｌｉｎｇ）Ｃ−ＲＮＴＩまたはＣ−ＲＮＴＩによって構成されるか否かは、無視される。この実施例において、２Ａ’は、フォーマット２Ａから少し変形されたバージョンを示すものであることを言及する。一般伝送モードで、端末は、２個のストリームと関連した最大２個のＤＲＳ及び最大２個のストリームを受信することができる。また、基地局（ｅＮｏｄｅＢ）は、最大２個のデータストリーム及び最大２個のＤＲＳを時間−周波数リソースのユニットで端末の数でスケジューリングすることができる。一般伝送モードで端末は、２個のＤＲＳのためのＤＲＳ ＲＥがそれら自分に対してデータシンボルを伝送しないことを認識する。一方、待機モードは、ＤＣＩフォーマット１Ａによってスケジューリングされる。Ｃ−ＲＮＴＩによってダウンリンク伝送が構成される時、待機伝送は、伝送ダイバシティまたは単一−階層ビームフォーミングスキームである。ＳＰＳ  Ｃ−ＲＮＴＩによってダウンリンク伝送が構成される時、待機伝送は、単一階層ビームフォーミングであり、ここで、ＤＲＳポートインデックスは、物理階層（ＰＨＹ  ｌａｙｅｒ）ではなく、上位階層で半−静的に（ｓｅｍｉ−ｓｔａｔｉｃａｌｌｙ）シグナリングされる。基地局（ｅＮｏｄｅＢ）は、最大２個の端末に対して最大２個のＤＣＩフォーマット１Ａを伝送することによって、同一の時間周波数リソースで上位階層によって割り当てられる他のＤＲＳポートインデックスで最大２個の端末をスケジューリングできる。
【０１３２】
半−静的にＤＲＳポートが割り当てられる時、多様な方法が本発明で記述されたように使用される。例えば、端末識別子は、割り当てられたＤＲＳポートと関連する。または偶数端末識別子を有する端末は、ＤＲＳポート０を有するのに対し、一方、奇数端末識別子を有する端末は、ＤＲＳポート１を有することができる。
【０１３３】
表１０００に示されたように、基地局は、動的スケジューリングのためにＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）を利用してダウンリンク制御情報（ＤＣＩ、ｄｏｗｎｌｉｎｋ  ｃｏｎｔｒｏｌ  ｉｎｆｏｒｍ  ａｔｉｏｎ）フォーマットのＣＲＣ（ｃｙｃｌｉｃ  ｒｅｄｕｎｄａｎｃｙ  ｃｈｅｃｋ）ビットをスクランブルし、半永久的スケジューリングのために、半永久的スケジューリング（ＳＰＳ）Ｃ−ＲＮＴＩを利用してＤＣＩフォーマットのＣＲＣビットをスクランブルする。
【０１３４】
Ｃ−ＲＮＴＩがＣＲＣビットをスクランブルするために使用されれば、基地局は、単一階層ビームフォーミングスキームまたは伝送ダイバシティ伝送スキームを示すために待機フォーマットであるＤＣＩフォーマットを利用してダウンリンク伝送グラントを生成する。また、基地局は、伝送チャネル（ＣＣＥ）ドメインの共通またはユーザ装置−特定検索空間（ｃｏｍｍｏｎ  ｏｒ  ｕｓｅｒ  ｅｑｕｉｐｍｅｎｔ−ｓｐｅｃｉｆｉｃ  ｓｅａｒｃｈ  ｓｐａｃｅ）でダウンリンク伝送グラントを伝送する。また、基地局は、デュアル専用レファレンス信号（ＤＲＳ）ポート伝送スキームまたは単一ＤＲＳポート伝送スキームを示すためにデュアル階層ビームフォーミングフォーマットであるＤＣＩフォーマットを利用してダウンリンク伝送グラントを生成する。また、基地局は、ＣＣＥドメインのユーザ装置−特定検索空間（ｕｓｅｒ  ｅｑｕｉｐｍｅｎｔ−ｓｐｅｃｉｆｉｃ  ｓｅａｒｃｈ  ｓｐａｃｅ）でダウンリンク伝送グラントを伝送する。
【０１３５】
もし、ＳＰＳ  Ｃ−ＲＮＴＩがＣＲＣビットをスクランブルするために使用されれば、基地局は、単一ＤＲＳポート伝送スキームを示すために待機フォーマットであるＤＣＩフォーマットを利用してダウンリンク伝送グラントを生成する。また、基地局は、ＣＣＥドメインの共通またはユーザ装置特定検索空間でダウンリンク伝送グラントを伝送する。基地局は、デュアルＤＲＳポート伝送スキームまたは単一ＤＲＳポート伝送スキームを示すためにデュアル階層ビームフォーミングフォーマットであるＤＣＩフォーマットを利用してダウンリンク伝送グラントを生成する。また、基地局は、ダウンリンク伝送グラントをＣＣＥドメインのユーザ装置特定検索空間で伝送する。
【０１３６】
図１１は、本発明の実施例による基地局を動作させる方法１０１０を示す。
図１１に示すように、方法１０１０は、動的スケジューリングのために、セル無線ネットワーク臨時識別子（Ｃ−ＲＮＴＩ）を利用してダウンリンク制御情報（ＤＣＩ）フォーマットのＣＲＣ（ｃｙｃｌｉｃ  ｒｅｄｕｎｄａｎｃｙ  ｃｈｅｃｋ）ビットをスクランブルすることを含む。また、その方法１０１０は、半永久的スケジューリングのために、半永久的スケジューリング（ＳＰＳ）Ｃ−ＲＮＴＩを利用してダウンリンク制御情報（ＤＣＩ）フォーマットのＣＲＣ（ｃｙｃｌｉｃ  ｒｅｄｕｎｄａｎｃｙ  ｃｈｅｃｋ）ビットをスクランブルすることを含む（ブロック１０１１）。Ｃ−ＲＮＴＩがＣＲＣビットをスクランブルするために使用されれば（ブロック１０１３）、方法１００１は、伝送ダイバシティ伝送スキームまたは単一階層ビームフォーミングスキームを示すために、待機フォーマットを有するＤＣＩフォーマットを利用してダウンリンク伝送グラントを生成することを含む（ブロック１０１５）。また、方法１００１は、制御チャネル（ＣＣＥ）ドメインの共通またはユーザ装置特定検索空間でダウンリンク伝送グラントを伝送することを含む（ブロック１０１７）。また、方法１００１は、デュアル階層ビームフォーミングフォーマットであるＤＣＩフォーマットを利用してデュアル専用レファレンス信号（ＤＲＳ）ポート伝送スキームまたは単一ＤＲＳポート伝送スキームを示すためにダウンリンク伝送グラントを生成することを含む（ブロック１０１９）。また、方法１００１は、制御チャネル（ＣＣＥ）ドメインのユーザ装置特定検索空間でダウンリンク伝送グラントを伝送することを含む（ブロック１０２１）。
【０１３７】
ＳＰＳ  Ｃ−ＲＮＴＩがＣＲＣビットをスクランブルするために使用されれば（ブロック１０１３）、方法１００１は、単一ＤＲＳポート伝送スキームを示すために、待機フォーマットであるＤＣＩフォーマットを利用してダウンリンク伝送グラントを生成することを含む（ブロック１０２３）。また、方法１００１は、制御チャネル（ＣＣＥ）ドメインの共通またはユーザ装置特定検索空間でダウンリンク伝送グラントを伝送することを含む（ブロック１０２５）。また、方法１００１は、デュアル階層ビームフォーミングフォーマットであるＤＣＩフォーマットを利用してデュアル専用レファレンス信号（ＤＲＳ）ポート伝送スキームまたは単一ＤＲＳポート伝送スキームを示すためにダウンリンク伝送グラントを生成することを含む（ブロック１０２７）。また、方法１００１は、制御チャネル（ＣＣＥ）ドメインのユーザ装置特定検索空間でダウンリンク伝送グラントを伝送することを含む（ブロック１０２９）。
【０１３８】
さらに、表１０００に示されたように、端末（ｓｕｂｓｃｒｉｂｅｒ）は、ダウンリンク伝送グラントを基地局から受信する。端末は、セル無線ネットワーク臨時識別子（Ｃ−ＲＮＴＩ）キーを利用してダウンリンク伝送グラントのＣＲＣ（ｃｙｃｌｉｃ  ｒｅｄｕｎｄａｎｃｙ  ｃｈｅｃｋ）ビットをデスクランブル（ｄｅ−ｓｃｒａｍｂｌｅ）し、半永久的スケジューリング（ＳＰＳ）Ｃ−ＲＮＴＩキーを利用してダウンリンク伝送グラントのＣＲＣビットをデスクランブルする。
【０１３９】
もし、Ｃ−ＲＮＴＩキーは、ＣＲＣビットを成功的にデスクランブルすれば、端末は、ダウンリンク伝送グラントにダウンリンク制御情報（ＤＣＩ）フォーマットとして待機フォーマットまたはデュアル階層ビームフォーミングフォーマットを活用するか否かを判断する。もし、ダウンリンク伝送グラントに待機フォーマットとしてＤＣＩフォーマットを活用すれば、端末は、基地局が伝送ダイバシティ伝送スキームを使用するか、または、単一階層ビームフォーミングスキームが使用するかを判断する。もし、ダウンリンク伝送グラントにデュアル階層ビームフォーミングフォーマットとしてＤＣＩフォーマットを活用すれば、端末は、基地局がデュアル専用レファレンス信号（ＤＲＳ、ｄｕａｌ−ｄｅｄｉｃａｔｅｄ  ｒｅｆｅｒｅｎｃｅ  ｓｉｇｎａｌ）ポート伝送スキームを使用するか、または、単一ＤＲＳポート伝送スキームを使用するかを判断する。
【０１４０】
ＳＰＳ  Ｃ−ＲＮＴＩキーがＣＲＣビットを成功的にデスクランブルすれば、端末は、ダウンリンク伝送グラントにＤＣＩフォーマットとして待機フォーマットを活用するかまたはデュアル階層ビームフォーミングフォーマットを活用するかを判断する。もし、ダウンリンク伝送グラントにＤＣＩフォーマットとして待機フォーマットを活用すれば、端末は、基地局によって単一ＤＲＳポート伝送スキームが使用されるように決定する。ダウンリンク伝送グラントにＤＣＩフォーマットとしてデュアル階層ビームフォーミングフォーマットが活用されれば、端末は、基地局によってデュアルポート伝送スキームが使用されるか、または、単一ＤＲＳポート伝送スキームが使用されるかを判断する。
【０１４１】
図１２は、本発明の実施例による端末動作の方法１０５０を示す。
図１２に示すように、方法１０５０は、基地局からダウンリンク伝送グラントを受信（ブロック１０５１）することを含む。また、方法１０５０は、端末は、セル無線ネットワーク臨時識別子（Ｃ−ＲＮＴＩ）キーを利用してダウンリンク伝送グラントのＣＲＣ（ｃｙｃｌｉｃ  ｒｅｄｕｎｄａｎｃｙ  ｃｈｅｃｋ）ビットをデスクランブル（ｄｅ−ｓｃｒａｍｂｌｅ）し、半永久的スケジューリング（ＳＰＳ）Ｃ−ＲＮＴＩキーを利用してダウンリンク伝送グラントのＣＲＣビットをデスクランブルすることを含む（ブロック１０５３）。
【０１４２】
もし、Ｃ−ＲＮＴＩキーがＣＲＣビットを成功的にデスクランブルすれば（ブロック１０５５）、方法は、ダウンリンク伝送グラントにダウンリンク制御情報（ＤＣＩ）フォーマットとして待機フォーマットまたはデュアル階層ビームフォーミングフォーマットを活用するか否かを判断することを含む（ブロック１０５７）。もし、ダウンリンク伝送グラントに待機フォーマットとしてＤＣＩフォーマットを活用すれば、方法１０５０は、端末は、基地局が伝送ダイバシティ伝送スキームを使用するか、または、単一階層ビームフォーミングスキームが使用するかを判断することをさらに含む（ブロック１０５９）。もし、ダウンリンク伝送グラントにデュアル階層ビームフォーミングフォーマットとしてＤＣＩフォーマットを活用すれば、方法１０５０は、基地局がデュアル専用レファレンス信号（ＤＲＳ、ｄｕａｌ−ｄｅｄｉｃａｔｅｄ  ｒｅｆｅｒｅｎｃｅ  ｓｉｇｎａｌ）ポート伝送スキームを使用するか、または、単一ＤＲＳポート伝送スキームを使用するかを判断することをさらに含む（ブロック１０６１）。
【０１４３】
もし、ＳＰＳ  Ｃ−ＲＮＴＩキーがＣＲＣビットを成功的にデスクランブルすれば（ブロック１０５５）、方法１０５０は、ダウンリンク伝送グラントにＤＣＩフォーマットとして待機フォーマットを活用するかまたはデュアル階層ビームフォーミングフォーマットを活用するかを判断することを含む（ブロック１０６３）。もし、ダウンリンク伝送グラントにＤＣＩフォーマットとして待機フォーマットを活用すれば、方法１０５０は、基地局によって単一ＤＲＳポート伝送スキームが使用されるようにすることをさらに含む（ブロック１０６５）。もし、ダウンリンク伝送グラントにＤＣＩフォーマットとしてデュアル階層ビームフォーミングフォーマットが活用されれば、方法１０５０は、基地局によってデュアルポート伝送スキームが使用されるか、または、単一ＤＲＳポート伝送スキームが使用されるかを判断することをさらに含む（ブロック１０６７）。
【０１４４】
図１３は、本発明の実施例による専用レファレンス信号（ＤＲＳ）インデックス及びストリームインデックスに活性化されたコードワードをマッピングすることを示す表１１００を示す。
【０１４５】
本発明の実施例において、ストリーム（及びＤＲＳ）インデックスは、ＤＣＩフォーマットで活性化されたコードワード（ＣＷ、ｃｏｄｅｗｏｒｄ）を利用して示される。また、ストリームインデックス及びＤＲＳインデックスに対する活性化されたＣＷのマッピングは、例えば、表１１００に示すように、記述されることができる。
【０１４６】
図１４は、本発明の実施例による専用レファレンス信号（ＤＲＳ、ｄｅｄｉｃａｔｅｄ  ｒｅｆｅｒｅｎｃｅ  ｓｉｇｎａｌ）インデックス及びストリームインデックスに不活性化されたコードワードの新しいデータ指示子（ＮＤＩ）ビットをマッピングすることを示す表１２００を示す。
【０１４７】
図１４に示すように、ストリーム（及びＤＲＳ）インデックスは、ＤＣＩフォーマットで不活性化されたコードワードに対してＮＤＩビットを利用して示される。ストリームインデックス及びＤＲＳインデックスに対する不活性化されたコードワードのＮＤＩビットのマッピングは、例えば、表１２００に示すように、記述されることができる。
【０１４８】
図１５は、本発明の他の実施例によるｅＮｏｄｅＢまたは基地局（ｂａｓｅ  ｓｔａｔｉｏｎ）の動作方法１３００を示す。
【０１４９】
一実施例において、ＤＲＳスクランブル方法の選択は、ダウンリンクグラントを利用して基地局（ｅＮｏｄｅＢ）が端末に通知する。図１５に示すように、基地局は、スケジューリングされた端末のＤＲＳをスクランブルするためにセル特定スクランブル方法を使用するかまたは端末特定スクランブル方法を使用するか判断する（ブロック１３０１）。もし、基地局がセル特定スクランブル方法を使用することに決定すれば、基地局は、基地局によって使用されるセル特定スクランブル方法に対する情報が運ばれたダウンリンクグラントを伝達し（ブロック１３０３）、セル特定スクランブル方法を利用してスケジューリングされた端末に対するＤＲＳをスクランブルする（ブロック１３０５）。もし、基地局が端末特定スクランブル方法を使用することに決定すれば、基地局は、基地局によって使用される端末特定スクランブル方法に対する情報が運ばれたダウンリンクグラントを伝送し（ブロック１３０７）、端末特定スクランブル方法を利用してスケジューリングされた端末に対するＤＲＳをスクランブルする（ブロック１３０９）。その後、基地局は、サブフレームの時間−周波数マップにＤＲＳ及びデータをマッピングし（ブロック１３１１）、スケジューリングされた端末に対応するデータＤＲＳによってデータストリームを伝送する（ブロック１３１３）。
【０１５０】
図１６は、本発明の他の実施例による端末を動作させる方法（１４００）を示す。
図１６に示すように、スケジューリングされた端末は、ダウンリンクグラントを基地局またはｅＮｏｄｅＢから受信する（ブロック１４０１）。ダウンリンクグラントは、基地局（ｅＮｏｄｅＢ）によって使用されるＤＲＳスクランブル方法に関する情報を伝達する。また、端末（加入者端末）は、対応するＤＲＳとともにデータストリームを受信する（ブロック１４０３）。端末は、ダウンリンクグラントで情報を読み取り、ＤＲＳをスクランブルするために使用される方法がセル特定スクランブル方法であるか、または端末特定スクランブル方法であるかを判断する（ブロック１４０５）。もし、セル特定スクランブル方法がＤＲＳをスクランブルするために使用されれば、端末は、セル特定スクランブル方法によってＤＲＳをデスクランブルする（ブロック１４０７）。もし、端末特定スクランブル方法がＤＲＳをスクランブルするために使用されれば、端末は、端末特定スクランブル方法によってＤＲＳをデスクランブルする（ブロック１４０９）。
【０１５１】
図１７は、本発明の実施例によるダウンリンクグラントの２個の状態を説明する表１５００を示す。
表１５００に示すように、２個の選択が２個の状態としてダウンリンクグラントに示される。ここで、第１状態は、ＤＲＳシーケンスのセル特定スクランブルを示し、第２状態は、ＤＲＳシーケンスの端末特定スクランブルを示す。
【０１５２】
この２つの状態を示すダウンリンクグラントで２つのコードポイント（ｃｏｄｅｐｏｉｎｔ）らを生成するための多い方法がある。一実施例において、１ビットフィールドがダウンリンクグラントに追加され、この１ｂｉｔフィールドは、このような２つの状態を示すために使用される。本実施例は、基地局が端末にダウンリンクグラントを伝送するのに使用するいずれのＤＣＩフォーマットにも適用される。
【０１５３】
図１８は、本発明の実施例による１ビットフィールドを利用するダウンリンクグラントの２個の状態を表現する表１６００を示す。
【０１５４】
この個別実施例において、１ビットフィールドの”０”の第１値は、第１状態を示す。これは、ＤＲＳのセル特定スクランブルが使用されることを示す。１ビットフィールドの”１”の第２値は、第２状態を示す。これは、ＤＲＳの端末特定スクランブルが使用されることを示す。
【０１５５】
図１９は、本発明の実施例による端末特定スクランブルまたはセル特定スクランブルの選択を示すために活性化された伝送ブロック（ＴＢｓ）の数の利用を示す表１７００を示す。
【０１５６】
表１７００に示すように、ダウンリンクグラントで活性化された伝送ブロックの数（１または２）は、セル特定スクランブルまたは端末特定スクランブルの選択を示すために使用される。本発明は、２個の伝送ブロックを示すＤＣＩフォーマットに適用することができる。例えば、前述した２Ａ’ＤＣＩフォーマット（これは、２Ａに基礎する。）がそれである。ＤＣＩフォーマットがただ１個の伝送ブロックを支援する時の場合、スクランブル方法の選択は、伝送スキームに依存する。例えば、伝送ダイバシティが使用されれば、端末特定スクランブルが採択される。反対に、単一ＤＲＳポートスキームが使用されれば、セル特定スクランブルが採択される。
【０１５７】
この実施例において、１Ａ’は、フォーマット１Ａが少し変形されたバージョンを示すことを言及する。また、現在Ｒｅｌ−８は、単一ＳＲＳポート伝送スキームとＳＰＳ−ＲＮＴＩ、そして、伝送ダイバシティとＣ−ＲＮＴＩの組合だけを認定する。しかし、Ｒｅｌ−９及びそれ以上で、他の２個の組合（単一のＤＲＳ−ポートとＣ−ＲＮＴＩ、そして伝送ダイバシティとＳＰＳ−ＲＮＴＩ）も可能である。
【０１５８】
ＤＣＩフォーマット２Ａまたは２Ａ’の場合、当業者なら上述した実施例にＤＲＳポートインデックスを示すいずれの方法の組合でも使用されることができることを理解する。ＤＣＩフォーマット１Ａまたは１Ａ’の場合、当業者なら、無線リソース制御（ＲＲＣ、ｒａｄｉｏ  ｒｅｓｏｕｒｃｅ  ｃｏｎｔｒｏｌ）によるもののようなＤＲＳポートインデックスの半静的指示子（ｓｅｍｉ−ｓｔａｔｉｃ  ｉｎｄｉｃａｔｉｏｎ）との組合、または、端末識別子（ＵＥＩＤ）などと連関されたＤＲＳポートインデックスによるもののようなＤＲＳポートの固定された指示者との組合が可能であることを理解することができる。
【０１５９】
本発明の一実施例において、個別ダウンリンクグラントに存在するビットは、このような２つの状態を示すために再翻訳（ｒｅ−ｉｎｔｅｒｐｒｅｔｅｄ）される。また、本発明は、２個の伝送ブロックを示すことができるＤＣＩフォーマットに対して適用することができる。例えば、前述した２Ａ’ＤＣＩフォーマット（これは、２Ａを基礎にする。）がそれである。
【０１６０】
特に、本発明は、ＴＢ１及びＴＢ２が共に活性化されれば、端末特定スクランブルが常に使用されるように（トランスペアレント（ｔｒａｎｓｐａｒｅｎｔ）ＭＵ−ＭＩＭＯを許容するために）提供される。
【０１６１】
伝送ブロックのうち１つが不活性化されれば、（スクランブル方法の）２個の状態を示すために必要なコードポイントは、不活性化された伝送ブロックのＮＤＩビットを再翻訳するか、またはコードワードマッピングビットに対する伝送ブロックを再翻訳することによって与えられる（これは、表１１００に記述されたような活性化されたコードワードインデックスの２個のコードポイント（状態）を利用するものと類似している）。さらに、伝送ブロックのうち１つが不活性化されれば、コードポイントの同一のセットは、端末が１（ＳＵ−ＭＩＭＯ）の全体ランクを期待するか、または、２（各ユーザ伝送したランク−１を有するＭＵ−ＭＩＭＯ）の全体ランクを期待するかを示すために使用されることができる。
【０１６２】
追加に、端末がただ１個の伝送ブロックを支援するＤＣＩフォーマットを受信する場合、その処理は、前述した実施例と同一である。
【０１６３】
図２０は、本発明の実施例による端末特定スクランブルまたはセル特定スクランブルの選択を示すための個別ダウンリンクグラントに存在するビットを利用することを示す表１８００を示す。
【０１６４】
前述したように、再翻訳されたビットは、不活性化された伝送ブロックのＮＤＩビット、伝送ブロックにマッピングされたビットに対するコードワード、または、不活性化されたコードワードと関連した２個の状態になることができる。
【０１６５】
表１８００で、全体ランク（全体ランク＞１）は、一般式であることを言及する。デュアル階層ビームフォーミングの場合で、全体ランクは、２である。
【０１６６】
再び、この分野における通常の知識を有する者なら、ＤＣＩフォーマット２Ａまたは２Ａ’の場合に対して、本発明は、ＤＲＳポートインデックスを示すいずれの方法とも組み合わせることができることを認識することができる。ＤＣＩフォーマット１Ａまたは１Ａ’の場合で、この分野における通常の知識を有する者は、また、端末識別子（ＵＥＩＤ）などを有するＤＲＳポートインデックスと関連したものによるＤＲＳポートの固定指示子（ｆｉｘｅｄ  ｉｎｄｉｃａｔｉｏｎ）またはＲＲＣシグナリングによる同じＤＲＳポートインデックスの半静的指示子（ｓｅｍｉ−ｓｔａｔｉｃ  ｉｎｄｉｃａｔｉｏｎ）と組み合わせることができるということを認知することができる。
【０１６７】
本発明の他の実施例において、ＤＲＳスクランブル方法の状態は、上位階層シグナリング（例えば、ＲＲＣシグナリング）に半静的に伝達される。
【０１６８】
一例において、基地局（ｅＮｏｄｅＢ）は、端末に対して基地局がノン−トランスペアレントＭＵ−ＭＩＭＯを使用する時、第１スクランブル方法を端末にシグナリングする。基地局は、端末に対してトランスペアレントＭＵ−ＭＩＭＯを使用する時、第２スクランブル方法をシグナリングする。
【０１６９】
図２１は、本発明のさらに他の実施例によるｅＮｏｄｅＢまたは基地局動作方法１９００）を示す。
【０１７０】
他の実施例において、ＤＲＳスクランブル方法の選択は、無線リソース制御（ＲＲＣ、ｒａｄｉｏ  ｒｅｓｏｕｒｃｅ  ｃｏｎｔｒｏｌ）メッセージを利用して基地局（ｅＮｏｄｅＢ）により端末に指示される。図２１に示すように、基地局は、スケジューリングされた端末のＤＲＳをスクランブルするためにセル特定または端末特定スクランブル方法を使用するかを判断する（ブロック１９０１）。もし、基地局は、基地局がセル特定スクランブル方法を使用するものと決定すれば、基地局は、基地局によって使用されるセル特定スクランブル方法に対する情報を伝達するＲＲＣメッセージを伝送し（ブロック１９０３）、セル特定スクランブル方法を利用してスケジューリングされた端末に対するＤＲＳをスクランブルする（ブロック１９０５）。もし、基地局は、基地局が端末特定スクランブル方法を使用するものと決定すれば、基地局は、基地局によって使用される端末特定スクランブル方法に対する情報を伝達するＲＲＣメッセージを伝送し（ブロック１９０７）、端末特定スクランブル方法を利用してスケジューリングされた端末に対するＤＲＳをスクランブルする（ブロック１９０９）。基地局は、サブフレームの時間−周波数マップにＤＲＳ及びデータをマッピングし（ブロック１９１１）、スケジューリングされた端末に対応するデータＤＲＳとともにデータストリームを伝送する（ブロック１９１３）。
【０１７１】
図２２は、本発明のさらに他の実施例による加入者端末を動作させる方法２０００を示す。
図２２に示すように、スケジューリングされた端末は、基地局またはｅＮｏｄｅＢからＲＲＣメッセージを受信する（ブロック２００１）。ＲＲＣメッセージは、基地局（ｅＮｏｄｅＢ）によって使用されるＤＲＳスクランブル方法に対する情報を伝達する。また、端末は、対応するＤＲＳとともにデータストリームを受信する（ブロック２００３）。端末は、ＲＲＣメッセージの情報を読み取り、ＤＲＳをスクランブルするためにセル特定スクランブル方法を使用するか、または端末特定スクランブル方法を使用するかを判断する（ブロック２００５）。もし、ＤＲＳをスクランブルするためにセル特定スクランブル方法が使用されれば、端末は、セル特定スクランブル方法によってＤＲＳをデスクランブルする（ブロック２００７）。もし、ＤＲＳをスクランブルするために端末特定スクランブル方法が使用されれば、端末は、端末特定スクランブル方法によってＤＲＳをデスクランブルする（ブロック２００９）。
【０１７２】
３ＧＰＰ ＬＴＥで、プロシージャが制御チャネル要素（ｃｏｎｔｒｏｌ  ｃｈａｎｎｅｌ  ｅｌｅｍｅｎｔ、ＣＣＥ）ドメインでその制御メッセージ（例えば、伝送グラント）を探すために端末に提供される。各端末は、ＣＣＥドメインで端末特定検索空間に割り当てられ、基地局（ｅＮｏｄｅＢ）と連結が行われたすべての端末は、ＣＣＥドメインで共通検索空間が割り当てられる。
【０１７３】
図２３は、本発明の実施例による連続したＣＣＥ（ｃｏｎｔｒｏｌ  ｃｈａｎｎｅｌ  ｅｌｅｍｅｎｔ）のセットで構成された検索空間を示す。
【０１７４】
与えられた検索空間で、端末は、図２３に示すツリー２１００のノードを検索し、自分に対する制御メッセージを探すために試みる。ここで、ツリー２１００の各ノードは、１、２、４または８個のＣＣＥの集合に対応する。例えば、ノード２１０１は、枝ノードが接続を有する８個の連続したＣＣＥの集合（例えば、ＣＣＥ０、１、…、７）に対応する。ＣＣＥの集合が与えられれば、端末は、或るＤＣＩフォーマットを推定し、集合で情報ビットを抽出し、そして抽出したＲＮＴＩと端末のＲＮＴＩとを比較する。端末が抽出したＲＮＴＩがそのＲＮＴＩと同じものと判断されれば、端末は、デコーディングされた制御メッセージが自分のものと判断する。
【０１７５】
図４及び図５に示すように、基地局（ｅＮｏｄｅＢ）は、端末の数による数のデータストリームを伝送することができる。この動作は、多重ユーザ多重入力多重出力（ＭＵ−ＭＩＭＯ、ｍｕｌｔｉ−ｕｓｅｒ  ｍｕｌｔｉ−ｉｎｐｕｔ  ｍｕｌｔｉ−ｏｕｔｐｕｔ）動作と呼ばれる。１つの伝送モードで、基地局は、時間−周波数リソースで最大２個のストリームまで伝送することができる。また、最大２個の端末は、時間周波数リソースで各々少なくとも１つのストリームを受信することができる。他の伝送モードで、基地局は、時間−周波数リソースで最大４個のストリームまで伝送することができる。また、最大４個の端末は、時間周波数リソースで各々少なくとも１つのストリームを受信することができる。
【０１７６】
多重ストリームが基地局によって伝送されるので、各端末は、任意の手段によってそのストリームを識別しなければならない。端末がそのストリームを識別すれば、端末は、伝送されたストリームの復調のためにチャネルを推定するためのストリームと関連した専用レファレンス信号を使用する。本発明の個別実施例において、ストリームに対するＤＲＳは、互いに直交するものと推定される。
【０１７７】
例えば、ストリーム＃０の復調のために、端末は、ＤＲＳ＃０を利用してチャネルを推定する。ここで、ＤＲＳ＃０は、データストリーム＃０をプリコーディングするために使用される同一のプリコーダでプリコーディングされる。ストリーム＃１の復調のために、端末は、ＤＲＳ＃１を利用してチャネルを推定する。ここで、ＤＲＳ＃１は、データストリーム＃１をプリコーディングするために使用される同一のプリコーダでプリコーディングされる。例えば、図６のレファレンス信号パターン６１０で、ＤＲＳ＃０のためのＤＲＳ ＲＥは、０でラベルが付いたＲＳ ＲＥである。一方、ＤＲＳ＃１のためのＤＲＳ ＲＥは、１でラベルが付いたＲＳ ＲＥである。一方、図６のレファレンス信号パターン６２０で、ＤＲＳ＃０は、ＲＳ ＲＥ上の同一のセットでＤＲＳ＃１で多重化される。また、ワルシコード［１１］は、ＤＲＳ＃０として使用され、一方、ワルシコード［１−１］は、ＤＲＳ＃１として使用される。
【０１７８】
ＭＵ−ＭＩＭＯを支援するために、ｅＮｏｄｅＢは、上位階層シグナリングによって端末に対する伝送モードを決定する。いくつかの伝送モードがこの実施例で考慮される。いずれか１つの伝送モード（伝送モードＡで示される）で、端末は、最大２個のストリーム及び２個のストリームと関連した最大２個のＤＲＳを受信することができ、ｅＮｏｄｅＢは、最大２個のデータストリームと最大でも端末の数である最大２個のＤＲＳを時間−周波数リソースのユニットでスケジューリングすることができる。この伝送モードの端末は、２個のＤＲＳに対するＤＲＳ ＲＥがそれら（端末）自分のためのデータシンボルを伝送しないことを認知する。
【０１７９】
（伝送モードＢで示される）他の伝送モードで、端末は、２個のストリーム及び２個のストリームと関連した最大２個のＤＲＳを受信することができる。また、基地局は、時間−周波数リソースのユニットで端末の数に対して最大４個のＤＲＳ及び最大４個のデータストリームをスケジューリングすることができる。この伝送モードの端末は、４個のＤＲＳに対するＤＲＳ ＲＥが端末自分のためのデータシンボルを伝送しないことを認知する。
【０１８０】
（伝送モードＣで示される）他の伝送モードで、端末は、最大２個のストリーム及び２個のストリームと関連した最大２個のＤＲＳを受信することができ、基地局は、伝送モードＢのように、時間周波数リソースのユニットで端末の数に対する最大４個のＤＲＳ及び最大４個のデータストリームをスケジューリングすることができる。伝送モードＣ及び伝送モードＢの差異点は、伝送モードＣでの各端末は、基地局から割り当てられたリソースで端末と他の端末にＤＲＳを割り当てる指示者を受信し、よって、端末がデータシンボルが伝送されないＤＲＳ ＲＥの正確な位置を認知するという点である。
【０１８１】
（伝送モードＤで示される）他の伝送モードで、端末は、最大４個のストリーム及び４個のストリームと関連した最大４個のＤＲＳを受信し、基地局は、時間−周波数リソースのユニットで端末の数に対する最大４個のＤＲＳ及び最大４個のデータストリームをスケジューリングすることができる。この伝送モードで、各端末は、基地局から端末に割り当てられたＤＲＳを示す指示者を受信し、よって、４個のＤＲＳのためのＤＲＳ ＲＥがそれら自分のためにデータシンボルを伝送しないことを認知する。
【０１８２】
この実施例は、基地局（ｅＮｏｄｅＢ）が多様な伝送モードで端末に対して割り当てられたストリームのセットを示す他の方法を提供する。
【０１８３】
ＤＲＳインデックス及びストリームの与えられた指示者と与えられた伝送モードで、端末は、関連したＤＲＳを利用してストリームと関連したチャネルを推定することによってそのデータストリームを復調する。伝送モードに作られた制限とともにＤＲＳインデックスまたはストリームは、端末が時間−周波数マップでＤＲＳシンボル及びデータシンボルがどこにあるかを知ることができるようにする。例えば、図６で、ＦＤＭ／ＴＤＭパイルロッドルは、伝送モードＡで、端末に使用され、端末は、この自分に対してシグナリングされたＤＲＳインデックスに基礎して図８で記述されたもののようなデータシンボル及びＤＲＳシンボルを探す。
【０１８４】
本発明の第１部分で、伝送モードＡにある端末が考慮される。伝送モードＡで、端末は、最大２個のストリーム及び２個のストリームと関連した最大２個のＤＲＳを受信することができ、基地局（ｅＮｏｄｅＢ）は、時間−周波数リソースのユニットで多くの場合に端末の数で最大２個のＤＲＳ及び最大２個のデータストリームをスケジューリングすることができる。ストリームインデックスがシグナリングドエルの時の端末の行為は、例えば、ＦＤＭ／ＴＤＭパイルロッドルの場合に、図８で示すように説明されることができる。伝送モードＡの端末に対して、ストリームインデックスを示す４個の方法が提供される。
【０１８５】
（方法Ａ−１によって示される）本発明の一実施例において、端末に対するストリームインデックスは、端末識別子番号（例えば、３ＧＰＰ ＬＴＥでＲＮＴＩ番号）に連結される。
【０１８６】
（伝送インスタンスＡ−１−１によって示される）１つの伝送インスタンスで、ｅＮｏｄｅＢは、時間−周波数リソースで端末識別子番号の他の偶数−奇数パリティー（ｐａｒｉｔｙ）で２個の端末をスケジューリングし、２個のストリーム、ストリーム＃０及びストリーム＃１を伝送する。ここ、ストリーム＃０及びＤＲＳ＃０は、偶数端末識別子を有する端末に目的され、一方、ストリーム＃１及びＤＲＳ＃１は、奇数端末識別子を有する端末に目的される。
【０１８７】
（伝送インスタンスＡ−１−２によって示される）他の伝送インスタンスで、基地局は、時間−周波数リソースでただ１つの端末をスケジューリングし、２個のストリーム、ストリーム＃０及びストリーム＃１を端末に伝送する。
【０１８８】
（伝送インスタンスＡ−１−３で示される）他の伝送インスタンス（ｉｎｓｔａｎｃｅ）で、基地局は、時間−周波数リソースでただ１つの端末をスケジューリングし、端末の識別子番号のパリティーによって、１つのストリーム、ストリーム＃０またはストリーム＃１を端末に伝送する。
【０１８９】
図２４は、本発明の第１実施例による基地局またはｅＮｏｄｅＢを動作させる方法２２００を示す。
図２４に示すように、基地局は、周波数−時間リソースに対して２個の端末（端末＃０及び端末＃１）を対にする（ブロック２２０１）。２個の端末は、他の偶数−奇数パリティーを有する端末識別子を有する。その後、基地局は、２個の端末各々に対して関連したＤＭＲＳ及びデータストリームをプリコーディングする（ブロック２２０３）。基地局は、端末＃０のためのＤＲＳ＃０に対するＲＥにＤＭＲＳをマッピングし、端末＃１のためのＤＲＳ＃１に対するＲＥにＤＭＲＳをマッピングする（ブロック２２０５）。また、基地局は、データＲＥで２個の端末に対する２個のプリコーディングされた信号の組合にマッピングされる（ブロック２２０７）。その後、基地局は、２個の端末に時間−周波数リソースを割り当てるダウンリンク伝送グラントを伝送し（ブロック２２０９）、２個の端末に時間−周波数リソースで信号を伝送する（ブロック２２１１）。
【０１９０】
伝送インスタンスＡ−１−１で、偶数端末識別子（端末＃０）を有する端末は、ＤＲＳ＃０のためのＲＥで受信された信号を利用してチャネルを推定する。奇数端末識別子（端末＃１）を有する端末は、ＤＲＳ＃１のためのＲＥで受信された信号を利用してチャネルを推定する。このような推定されたチャネルは、各端末でデータストリームの復調のために使用される。
【０１９１】
図２５は、本発明の第１実施例による加入者端末（ｓｕｂｓｃｒｉｂｅｒ  ｓｔａｔｉｏｎ）またはユーザ端末（ＵＥ）を動作させる方法２３００を示す。
図２５に示すように、端末は、ｅＮｏｄｅＢから伝送グラントによって割り当てられた時間−周波数リソースで信号のセット及び伝送グラントを受信する（ブロック２３０１）。その後、端末は、端末の端末識別子が偶数であるかを判断する（ブロック２３０３）。もし端末の端末識別子が偶数なら、端末は、ＤＲＳ＃０に対するＲＥから信号を抽出する（ブロック２３０５）。もし、端末の端末識別子が偶数ではなければ、端末は、ＤＲＳ＃１に対するＲＥから信号を抽出する（ブロック２３０７）。その後、端末は、抽出した信号を利用して割り当てられた時間−周波数リソースでチャネルを推定する（ブロック２３０９）。また、端末は、推定されたチャネルを利用して割り当てられた時間−周波数リソースで目的されたデータストリームを復調する（ブロック２３１１）。
【０１９２】
伝送インスタンスＡ−１−２で、端末は、ＤＲＳ＃０及びＤＲＳ＃１の両方に対するＲＥで受信された信号を利用して推定されたチャネルを推定する。２個の測定されたチャネルは、端末で２個のデータストリームの復調のために使用される。
【０１９３】
伝送インスタンスＡ−１−３で、端末は、その端末識別子が偶数なら、ＤＲＳ＃０に対するＲＥで受信された信号を利用して１つのチャネルを推定し、そして、端末識別子が奇数なら、ＤＲＳ＃１に対するＲＥで受信された信号を利用する。
【０１９４】
（方法Ａ−２によって示された）本発明の他の実施例において、端末に対するストリームインデックスは、ＣＣＥ（ｃｏｎｔｒｏｌ  ｃｈａｎｎｅｌ  ｅｌｅｍｅｎｔ、制御チャネル要素）番号のパリティー（ｐａｒｉｔｙ）と連結される。ここで、ＣＣＥ番号は、端末に対して伝達されたダウンリンクグラントを有するＣＣＥの１つの論理インデックスである。
【０１９５】
（伝送インスタンスＡ−２−１によって示される）１つの伝送インスタンスで、基地局は、時間−周波数リソースで２個の端末、ＵＥ＃０及びＵＥ＃１をスケジューリングし、２個のストリーム、ストリーム＃０及びストリーム＃１を伝送する。この個別実施例において、ストリーム＃０及びＤＲＳ＃０は、端末＃０を目的にし、ストリーム＃１及びＤＲＳ＃１は、端末＃１を目的にする。基地局は、連続したＣＣＥのセットで伝送グラントを端末＃０に伝送する。ここで、第１ＣＣＥのインデックスは、偶数である。他の側面で、基地局は、連続したＣＣＥのセットで伝送グラントを端末＃１に伝送する。ここで、第１ＣＣＥのインデックスは、奇数である。
【０１９６】
（伝送インスタンスＡ−２−２で示される）他の伝送インスタンスで、基地局は、時間−周波数リソースでただ１つの端末をスケジューリングし、２個のストリーム、ストリーム＃０及びストリーム＃１を端末に伝送する。
【０１９７】
他の伝送インスタンス（伝送インスタンスＡ−２−３で示される）で、基地局は、時間−周波数リソースでただ１つの端末をスケジューリングし、１つのストリーム、ストリーム＃０またはストリーム＃１を端末に伝送する。ストリーム＃０が端末に伝送される時、基地局は、連続したＣＣＥのセットで伝送グラントを伝送する。ここで、第１ＣＣＥのインデックスは、偶数である。ストリーム＃１が端末に伝送される時、基地局は、連続したＣＣＥのセットで伝送グラントを伝送する。ここで、第１ＣＣＥのインデックスは、奇数である。
【０１９８】
図２６は、本発明の第２実施例による基地局またはｅＮｏｄｅＢを動作させる方法２４００を示す。
【０１９９】
図２６に示すように、基地局は、時間−周波数リソースに対して２個の端末（端末＃０及び端末＃１）を対で作る（ブロック２４０１）。基地局は、その後、２個の端末の各々に対してデータストリーム及び関連したＤＭＲＳをプリコーディングする（ブロック２４０３）。一部の実施例において、２個の端末に使用されるプリコーダは、互いに異なることができる。基地局は、端末＃０のためのＤＲＳ＃０に対するＲＥにＤＭＲＳをマッピングし、端末＃１のためのＤＲＳ＃１に対するＲＥにＤＭＲＳをマッピングする（ブロック２４０５）。また、基地局は、データＲＥで２個の端末に対する２個のプリコーディングされた信号の組合をマッピングする（ブロック２４０７）。その後、基地局は、偶数インデックスで始まる連続したＣＣＥのセットでダウンリンク伝送グラントを端末＃０に伝送し、奇数インデックスで始まる連続したＣＣＥのセットでダウンリンク伝送グラントを端末＃１に伝送する（ブロック２４０９）。その後、基地局は、時間−周波数リソースで信号を２個の端末に伝送する（ブロック２４１１）。
【０２００】
伝送インスタンスＡ−２−１で、偶数ＣＣＥで始まるダウンリンクグラントを受信する端末は、ＤＲＳ＃０に対するＲＥで受信された信号を利用してチャネルを推定する。一方、奇数ＣＣＥで始まるダウンリンクグラントを受信する端末は、ＤＲＳ＃１に対するＲＥで受信された信号を利用してチャネルを推定する。このような推定されたチャネルは、各端末でデータストリームの復調に使用される。
【０２０１】
図２７は、本発明の第２実施例による加入者端末またはユーザ端末動作方法２５００を示す。
図２７に示すように、端末は、基地局から伝送グラントによって割り当てられた時間−周波数リソースで信号のセット及び伝送グラントを受信する（ブロック２５０１）。その後、端末は、伝送グラントが伝送された第１ＣＣＥ番号（一番目のＣＣＥ番号）が偶数であるか否かを判断する（ブロック２５０３）。伝送グラントが伝送された第１ＣＣＥ番号が偶数なら、端末は、ＤＲＳ＃０に対するＲＥから信号を抽出する（ブロック２５０５）。伝送グラントを伝達する第１ＣＣＥ番号が偶数ではなければ、端末は、ＤＲＳ＃１に対するＲＥから信号を抽出する（ブロック２５０７）。その後、端末は、抽出した信号を利用して割り当てられた時間−周波数リソースでチャネルを推定する（ブロック２５０９）。また、端末は、推定されたチャネルを利用して割り当てられた時間−周波数リソースで目的されたデータストリームを復調する（ブロック２５１１）。
【０２０２】
伝送インスタンスＡ−２−２で、端末は、ＤＲＳ＃０及びＤＲＳ＃１の両方に対するＲＥで受信された信号を利用して２個のチャネルを推定する。２個の推定されたチャネルは、端末で２個のデータストリームの復調のために使用される。
【０２０３】
伝送インスタンスＡ−２−３で、端末は、もし、端末が偶数インデックスで始まるＣＣＥでダウンリンクグラントを受信したら、ＤＲＳ＃０のためのＲＥで受信された信号を利用して１つのチャネルを推定し、もし、端末が奇数インデックスで始まるＣＣＥでダウンリンクグラントを受信したら、ＤＲＳ＃１のためのＲＥで受信された信号を利用して１つのチャネルを推定する。
【０２０４】
（方法Ａ−３で示される）本発明の他の実施例において、端末のためのストリームインデックスは、ＣＣＥツリー検索空間で、制御チャネル要素（ＣＣＥ）リソースの位置に連結される。ここで、ＣＣＥリソースは、端末に対するダウンリンクグラントを伝達する。
【０２０５】
図２８は、本発明の実施例によるストリーム（またはＤＲＳ）識別子とＣＣＥ（ｃｏｎｔｒｏｌ  ｃｈａｎｎｅｌ  ｅｌｅｍｅｎｔ）集合の位置との間の連結を示す。
【０２０６】
いずれか１つの伝送インスタンス（伝送インスタンスＡ−３−１で示す）で、基地局は、２個の端末、端末＃０及び端末＃１を時間−周波数リソースでスケジューリングし、２個のストリーム、ストリーム＃０及びストリーム＃１を伝送する。このインスタンスで、ストリーム＃０及びＤＲＳ＃０は、端末＃０を目的にし、ストリーム＃１及びＤＲＳ＃１は、端末＃１を目的にする。基地局は、１、２または４個のＣＣＥの集合で伝送グラントを端末＃０で伝送する。ここで、集合２６０１は、端末＃０の端末特定検索空間でツリーの左側に割り当てられる。一方、基地局は、１、２または４個のＣＣＥの集合で伝送グラントを端末＃１で伝送する。ここで、集合２６０３は、端末＃１の端末特定検索空間でツリーの右側に割り当てられる。
【０２０７】
他の伝送インスタンス（伝送インスタンスＡ−３−２で示される）で、基地局は、時間−周波数リソースでただ１つの端末をスケジューリングし、２個のストリーム、ストリーム＃０及びストリーム＃１を端末に伝送する。
【０２０８】
他の伝送インスタンス（伝送インスタンスＡ−３−３で示される）で、基地局は、時間−周波数リソースでただ１つの端末をスケジューリングし、１つのストリーム、ストリーム＃０またはストリーム＃１を端末に伝送する。ストリーム＃０が端末に伝送されれば、基地局は、１、２または４個のＣＣＥの集合で伝送グラントを伝送する。ここで、集合は、端末の端末特定空間でツリーの左側に割り当てられる。ストリーム＃１が端末に伝送されれば、基地局は、１、２または４個のＣＣＥの集合で伝送グラントを伝送する。ここで、集合は、端末の端末特定空間でツリーの右側に割り当てられる。
【０２０９】
図２９は、本発明の第３実施例による基地局またはｅＮｏｄｅＢ動作方法２７００を示す。
図２９に示すように、基地局は、時間−周波数リソースに対して２個の端末（端末＃０及び端末＃１）を対になるようにする（ブロック２７０１）。その後、基地局は、２個の端末各々に対してデータストリーム及び連関されたＤＭＲＳをプリコーディングする（ブロック２７０３）。一部の実施例において、２個の端末に使用されるプリコーダは、互いに異なることができる。基地局は、端末＃０のためのＤＲＳ＃０に対するＲＥにＤＭＲＳをマッピングし、端末＃１のためのＤＲＳ＃１に対するＲＥにＤＭＲＳをマッピングする（ブロック２７０５）。また、基地局は、データＲＥで２個の端末に対する２個のプリコーディングされた信号の組合をマッピングする（ブロック２７０７）。その後、基地局は、１、２または４個のＣＣＥの集合で伝送グラントを端末＃０で伝送する。ここで、前記集合は、端末＃０の端末特定検索空間でツリーの左側に割り当てられる。また、基地局は、１、２または４個のＣＣＥの集合で伝送グラントを端末＃１で伝送する。ここで、前記集合は、端末＃１の端末特定検索空間でツリーの右側に割り当てられる（ブロック２７０９）。その後、基地局は、２個の端末に時間−周波数リソースで信号を伝送する（ブロック２７１１）。
【０２１０】
伝送インスタンスＡ−３−１で、端末特定検索空間でツリーの左側に位置するＣＣＥ集合でダウンリンクグラントを受信する端末は、ＤＲＳ＃０に対するＲＥで受信された信号を利用してチャネルを推定する。一方、端末特定検索空間でツリーの右側に位置するＣＣＥ集合でダウンリンクグラントを受信する端末は、ＤＲＳ＃１に対するＲＥで受信された信号を利用してチャネルを推定する。このような推定されたチャネルは、各端末にデータストリームの復調のために使用される。
【０２１１】
図３０は、本発明の第３実施例による加入者端末またはユーザ端末動作方法２８００を示す。
図３０に示すように、端末は、基地局からの伝送グラントによって割り当てられた時間−周波数リソースで信号のセット及び伝送グラントを受信する（ブロック２８０１）。その後、端末は、伝送グラントが端末特定検索空間でツリーの左側に位置するＣＣＥ集合で伝達されるかを判断する（ブロック２８０３）。もし、伝送グラントが端末特定検索空間でツリーの左側に位置するＣＣＥ集合で伝達されれば、端末は、ＤＲＳ＃０に対するＲＥから信号を抽出する（ブロック２８０５）。もし、伝送グラントが端末特定検索空間でツリーの右側に位置するＣＣＥ集合で伝達されれば、端末は、ＤＲＳ＃１に対するＲＥから信号を抽出する（ブロック２８０７）。その後、端末は、抽出された信号を利用して割り当てられた時間−周波数リソースでチャネルを推定する（ブロック２８０９）。また、端末は、推定されたチャネルを利用して割り当てられた時間−周波数リソースで目的されたデータストリームを復調する（ブロック２８１１）。
【０２１２】
伝送インスタンスＡ−３−２で、端末は、ＤＲＳ＃０及びＤＲＳ＃１の両方に対するＲＥで受信された信号を利用して２個のチャネルを推定する。２個の推定されたチャネルは、端末で２個のデータストリームの復調のために使用される。
【０２１３】
伝送インスタンスＡ−３−３で、端末は、もし、端末が端末特定検索空間でツリーの左側に位置するＣＣＥ集合でダウンリンクグラントを受信したら、ＤＲＳ＃０のためのＲＥで受信された信号を利用して１つのチャネルを推定する。また、端末は、端末が端末特定検索空間でツリーの右側に位置するＣＣＥ集合でダウンリンクグラントを受信したら、ＤＲＳ＃１のためのＲＥで受信された信号を利用する。
【０２１４】
（方法Ａ−４によって示される）本発明の他の実施例において、ストリームインデックス及び端末のために関連されたＤＲＳインデックスは、ダウンリンクグラントで活性化されたコードワードインデックスで内包的に示される。
【０２１５】
図３１は、本発明の実施例によるダウンリンク（ＤＬ）フォーマットを示す。
ＤＣＩフォーマット２Ａが２個の端末に対するダウンリンクグラントに使用される時、端末＃０のＴＢ１及び端末＃１のＴＢ１が活性化されたら、２個のダウンリンクグラントは、フォーマット２９０１と同様であることができる。端末＃０に対するダウンリンクグラントで、ＴＢ−ｔｏ−ＣＷスワップ（伝送ブロックをコードワードに変える）ビットは０であり、そのため、端末＃０に対するＴＢ１がＣＷ０にマッピングされ、ＴＢ２は、フォーマット２９０３に示すように、ＭＣＳ２は、０、そしてＲＶ２は、１に設定されたところによって不活性化される。端末＃１に対するダウンリンクグラントで、ＴＢ−ｔｏ−ＣＷスワップ（伝送ブロックをコードワードに変える）ビットは１であり、そのため、端末＃０に対するＴＢ１がＣＷ１にマッピングされ、ＴＢ２は、フォーマット２９０５に示すように、ＭＣＳ２は、０、そしてＲＶ２は、１に設定されたところによって不活性化される。
【０２１６】
ＴＢ−ｔｏ−ＣＷスワップビットに他の値が割り当てられ、他のＴＢが活性化される時、割り当てられたＤＲＳ（ストリーム）インデックス及び活性化されたコードワードが図１１の表１１００に説明されたように整理された。この個別実施例において、表１１００の（割り当てられたＤＲＳインデックス）４番目のカラム（ｃｏｌｕｍｎ）は、初めて３個のカラムの値に基づいて判断される。
【０２１７】
【数２５】
0005624131.tif 000026
【０２１８】
（伝送インスタンスＡ−４−１で示される）いずれか１つの伝送インスタンスで、基地局は、時間−周波数リソースで２個の端末（端末＃０及び端末＃１）をスケジューリングし、各端末に対する１つのＴＢ、２個のＴＢ（または２個のストリーム）を伝送する。基地局は、端末＃０のＴＢ１またはＴＢ２は、端末＃０のためのコードワード（ＣＷ）＃０にマッピングされ、端末＃１のＴＢ１またはＴＢ２は、コードワード（ＣＷ）＃１にマッピングされることのような方法で伝送グラントを構成する。各端末に対して、基地局は、コードワードがマッピングされた１つのＴＢを活性化させ、他のＴＢを不活性化させる。この個別実施例において、ＣＷ＃０及びＣＷ＃１は、ストリーム＃０及びストリーム＃１に各々対応する。
【０２１９】
図３２は、本発明の第４実施例による基地局またはｅＮｏｄｅＢ動作方法３０００を示す。
図３２に示すように、基地局は、時間−周波数リソースに対して２個の端末（端末＃０及び端末＃１）を対にする（ブロック３００１）。基地局は、上位階層から端末＃０に対してＴＢ＃１を受信し、端末＃１に対してＴＢ＃１を受信する（ブロック３００３）。基地局は、ＣＷ＃０を階層＃０にマッピングし、ＣＷ＃１を階層＃１にマッピングする（ブロック３００５）。また、基地局は、端末＃０（階層＃０）及び端末＃１（階層＃１）に対してデータストリーム及び関連されたＤＭＲＳをプリコーディングする（ブロック３００７）。その後、基地局は、端末＃０のためのＤＲＳ＃０に対するＲＥにＤＭＲＳをマッピングし、端末＃１のためのＤＲＳ＃１に対するＲＥにＤＭＲＳをマッピングする（ブロック３００９）。また、基地局は、データＲＥで２個の端末に対する２個のプリコーディングされた信号の組合をマッピングする（ブロック３０１１）。その後、基地局は、ＴＢ＃２を不活性化し、端末＃０のためのダウンリンクグラントでＴＢ−ｔｏ−ＣＷスワップビットをクリア（ｃｌｅａｒ）し、ＴＢ＃２を不活性化し、端末＃１のためのダウンリンクグラントでＴＢ−ｔｏ−ＣＷスワップビットをクリア（ｃｌｅａｒ）する（ブロック３０１３）。その後、基地局は、２個のダウンリンクグラント及びデータ信号を２個の端末に伝送する（ブロック３０１５）。
【０２２０】
（伝送インスタンスＡ−４−２で示される）他の伝送インスタンスで、基地局は、時間−周波数リソースでただ１つの端末をスケジューリングし、２個のストリーム、ストリーム＃０及びストリーム＃１を端末に伝送する。
【０２２１】
（伝送インスタンスＡ−４−３で示される）他の伝送インスタンスで、基地局は、時間周波数リソースでただ１つの端末をスケジューリングし、１つのストリーム、ストリーム＃０またはストリーム＃１を端末に伝送する。ストリーム＃０が端末に伝送される時、基地局は、活性化されたＣＷ＃０を有する伝送グラント及びＣＷ＃０にマッピングされたＴＢ＃１を伝送する。ストリーム＃１が端末に伝送される時、基地局は、活性化されたＣＷ＃１を有する伝送グラント及びＣＷ＃１にマッピングされたＴＢ＃１を伝送する。
【０２２２】
伝送インスタンスＡ−４−１で、端末特定検索空間でツリーの左側に位置するＣＣＥ集合でダウンリンクグラントを受信した端末は、ＤＲＳ＃０のためのＲＥで受信された信号を利用してチャネルを推定する。一方、端末特定検索空間でツリーの右側に位置するＣＣＥ集合でダウンリンクグラントを受信した他の端末は、ＤＲＳ＃１のためのＲＥで受信された信号を利用してチャネルを推定する。このように推定されたチャネルは、各端末でデータストリームの復調のために使用される。
【０２２３】
図３３は、本発明の第４実施例による基地局または端末動作方法３１００を示す。
図３３に示すように、端末は、基地局から伝送グラントによって割り当てられた時間周波数リソースで信号のセット及び伝送グラントを受信する（ブロック３１０１）。その後、端末は、伝送グラントでＣＷ＃０が活性化されたか否かを判断する（ブロック３１０３）。もし、伝送グラントでＣＷ＃０が活性化されれば、端末は、ＤＲＳ＃０のためのＲＥから信号を抽出する（ブロック３１０５）。もし、伝送グラントでＣＷ＃１が活性化されれば、端末は、ＤＲＳ＃１のためのＲＥから信号を抽出する（ブロック３１０７）。その後、端末は、抽出された信号を利用して割り当てられた時間−周波数リソースでチャネルを推定する（ブロック３１０９）。また、端末は、推定されたチャネルを利用して割り当てられた時間周波数リソースで目的されたデータストリームを復調する（ブロック３１１１）。また、端末は、伝送グラントでＴＢ−ｔｏ−ＣＷスワップが設定されたか否かを判断する（ブロック３１１３）。もし、伝送グラントでＴＢ−ｔｏ−ＣＷスワップが設定されたら、端末は、ＣＷ＃０がＴＢ＃２に対応し、ＣＷ＃１がＴＢ＃１に対応するかを判断する（ブロック３１１５）。もし、伝送グラントでＴＢ−ｔｏ−ＣＷスワップが設定されていなければ、端末は、ＣＷ＃０がＴＢ＃１に対応し、ＣＷ＃１がＴＢ＃２に対応するかを判断する（ブロック３１１７）。
【０２２４】
伝送インスタンスＡ−４−２で、端末は、ＤＲＳ＃０及びＤＲＳ＃１の両方のためのＲＥで受信された信号を利用して２個のチャネルを推定する。２個の推定されたチャネルは、端末で２個のストリームの復調に使用される。
【０２２５】
伝送インスタンスＡ−４−３で、端末が計ってからＣＷ＃０が活性化されたことを示すダウンリンクグラントを受信したら、端末は、ＤＲＳ＃０のためのＲＥで受信された信号を利用して１つのチャネルを推定する。また、端末がただＣＷ＃１が活性化されたことを示すダウンリンクグラントを受信したら、端末は、ＤＲＳ＃１のためのＲＥで受信された信号を利用する。
【０２２６】
方法Ａ−１、Ａ−２、Ａ−３及びＡ−４で、推定されたチャネルは、各端末でデータストリームの復調に使用される。また、端末＃０（端末＃１）は、ＤＲＳ＃１（ＤＲＳ＃０）のためのＲＥで受信された信号を利用してチャネルを推定し、また、干渉信号の統計を算出する。端末＃０（端末＃１）が干渉信号の統計を算出すれば、端末は、復調性能をさらに向上させるために情報を利用することができる。端末＃０（端末＃１）は、復調のための２個のチャネル統計を利用するＭＭＳＥ（ｍｉｎｉｍｕｍ  ｍｅａｎ  ｓｑｕａｒｅｄ  ｅｒｒｏｒ）推定器を具現することができる。
【０２２７】
本発明の第２部分で、伝送モードＢで端末が考慮される。伝送モードＢで、端末は、最大２個のストリーム及び２個のストリームと関連された最大２個のＤＲＳを受信する。また、基地局は、時間周波数リソースのユニットで最大４個のデータストリーム及び端末の数に対する最大４個のＤＲＳをスケジューリングすることができる。この伝送モードで、端末は、４個のＤＲＳに対するＤＲＳ ＲＥがそれら自分のためのデータシンボルを伝達しないことを認知する。個別実施例において、図６のレファレンス信号パターン６２０のような、ＲＳパターンの形式が考慮される。ＲＳパターンのこのような形式で、ＤＲＳ ＲＥの１つのセットは、ストリーム０及び１に対して予約（ｒｅｓｅｒｖｅｄ）される。一方、別個のＤＲＳ ＲＥの他のセットがストリーム２及び３に対して予約される。ＤＲＳ ＲＥの第１及び第２セットは、各々ＤＲＳ ＲＥセット０及びＤＲＳ ＲＥセット１に適用される。
【０２２８】
図３４は、本発明の実施例によるストリームの数を示すのに使用される表３２００を示す。
【０２２９】
次の実施例において、ダウンリンクグラントセット内のストリームインデックス及びＤＲＳ ＲＥセットに関連された情報を伝達することによって基地局によって端末に最大２個のストリーム（そして対応するＤＲＳ）インデックスを示す方法が記述される。そのような実施例で、基地局は、テーブル３２００に整理したように、ストリームインデックスの最大６個の他のセットを示すことができる。
【０２３０】
図３５は、本発明の実施例によるＤＲＳ ＲＥセットを示すためにＤＲＳセット指示子フラグを利用することを示す。
【０２３１】
本発明の一実施例において、ＤＲＳセット指示子フラグである、追加フィールドは、ＤＲＳ ＲＥセットインデックス（またはＩ＿ｓｅｔ）を示すダウンリンクグラントを追加し、それで、ダウンリンクグラントを受信した端末は、端末自分を意図したＤＲＳ ＲＥを識別する。また、ダウンリンクグラントを受信した端末は、割り当てられたストリームの復調のためにチャネルを推定するようにＤＲＳ ＲＥを使用する。ＤＲＳセット指示子フラグは、ＤＲＳ ＲＥセットを識別する。例えば、図３５に示すように、ＤＲＳセット指示子フラグが０である時、ＤＲＳ ＲＥセット０が選択される。ＤＲＳセット指示子フラグが１である時、ＤＲＳ ＲＥセット１が選択される。図３５は、図６のＣＤＭ／ＦＤＭパターンのレファレンス信号パターン６２０がＤＲＳパターンで使用される時、ＤＲＳセット指示子フラグでビット値の結果を示す。
【０２３２】
ダウンリンクグラントでＤＲＳセット指示子フラグが伝達される時、セット（Ｉ＿ｓｔｒｅａｍ＿ｓｅｔ）内のストリームインデックスは、追加ビットフィールドによって明白にまたは方法Ａ−４を利用することによって含蓄的に伝達される。
【０２３３】
図３６は、本発明の実施例によるＤＣＩフォーマットを示す。
この実施例において、新しいＤＣＩフォーマット３４００は、フォーマット１Ａに２個の追加フィールドを追加する。Ｉ＿ｓｅｔを判断するために使用される１ビットのＤＲＳセット指示子フラグ３４０１及びＩ＿ｓｔｒｅａｍ＿ｓｅｔまたはセット内のストリームインデックスを示すために使用される１ビットのストリーム指示子フィールド３４０３がそれである。個別実施例において、基地局は、表３２００に示すような、ダウンリンクグラント、０、１、２または３で１つのストリームインデックスを示すことができる。
【０２３４】
図３７は、本発明の他の実施ええによるＤＣＩフォーマットを示す。
この実施例において、新しいＤＣＩフォーマット３５００は、ＤＣＩフォーマット２Ａに追加フィールドを追加する。１ビットのＤＲＳセット指示子フラグ３５０１がそれである。ＤＲＳセット指示子フラグ３５０１が０に設定される時、これは、端末がＤＲＳ ＲＥセット０でＤＲＳを受信することを示す。ＤＲＳセット指示子フラグ３５０１が１に設定される時、これは、端末がＤＲＳ ＲＥセット１でＤＲＳを受信することを示す。
【０２３５】
図３８は、本発明の実施例によるストリームインデックスまたは割り当てられたＤＲＳをマッピングするために使用される表３６００を示す。
【０２３６】
方法Ａ−４がＤＣＩフォーマット３５００と一緒に使用される時、選択されたセットで最大２個のＤＲＳ（またはストリーム）インデックスが１ビットのＤＲＳセット指示子フラグによって示される。表３６００は、ストリームインデックスまたは割り当てられたＤＲＳに対するＤＲＳセット指示子フラグ及び活性化されたコードワードの値の可能な組合からのマッピングを並べる。
【０２３７】
本発明の第３部分で、伝送モードＣの端末が考慮される。伝送モードＣで、端末は、最大２個のストリーム及び２個のストリームに関連された最大２個のＤＲＳを受信することができる。また、基地局は、時間周波数リソースのユニットで、伝送モードＢのように、最大４個のデータストリーム及び端末の数に対して最大４個のＤＲＳスケジューリングすることができる。伝送モードＣ及び伝送モードＢの差異点は、伝送モードＣでの各端末は、基地局から割り当てられたリソースで端末と他の端末にＤＲＳを割り当てる指示者を受信し、よって、端末がデータシンボルが伝送されないＤＲＳ ＲＥの正確な位置を認知するという点である。図６のレファレンス信号パターン６２０で示すようなＲＳパターンのこのような形式で、ＤＲＳ ＲＥの１つのセットは、ストリーム０及び１に対して予約（ｒｅｓｅｒｖｅｄ）される。一方、別個のＤＲＳ ＲＥの他のセットがストリーム２及び３に対して予約される。ＤＲＳ ＲＥの第１及び第２セットは、各々ＤＲＳ ＲＥセット０及びＤＲＳ ＲＥセット１に適用される。
【０２３８】
本発明の実施例において、基地局によって端末に最大２個のストリーム（そして対応するＤＲＳ）インデックスのセットを示し、ＤＲＳ ＲＥの他のセットが端末に対するデータシンボルを含むか否かを示す方法及びシステムが提供される。
【０２３９】
本発明の一実施例において、基地局のための方法及びシステムは、ダウンリンクグラントのセット内でストリームインデックス及びＤＲＳ ＲＥセットに対する情報を伝達することによって端末に対して最大２個のストリーム（及び対応するＤＲＳ）インデックスを示すだけでなく、ＤＲＳ ＲＥセット（Ｎ＿ｓｅｔ）の数を特定することによって、ＤＲＳ ＲＥの他のセットがデータを伝達するか否かを示す。
【０２４０】
図３９は、本発明の実施例によるＤＲＳセット番号フラグ及びＤＲＳセット指示子フラグでビット値の使用を示す。
【０２４１】
個別実施例において、２個の追加されたフィールド、ＤＲＳセット指示子フラグ（Ｉ＿ｓｅｔ）及びセット番号フィールド（Ｎ＿ｓｅｔ）は、ＤＲＳセットインデックスを示すためにダウンリンクグラントに追加される。
【０２４２】
ＤＲＳセット指示子フラグを受信すれば、端末は、端末自分を目的にしたＤＲＳ ＲＥを識別し、割り当てられたストリームの復調のためのチャネルを推定するためにＤＲＳ ＲＥを使用する。セット番号フラグを受信すれば、端末は、データシンボルが他のＤＲＳ ＲＥセットに存在するか否かを認知することができる。ＤＲＳセット指示子フラグは、ＤＲＳ ＲＥセットを識別する。例えば、ＤＲＳセット指示子フラグが０である時、ＤＲＳ ＲＥセット０が選択される。ＤＲＳセット指示子フラグが１である時、ＤＲＳ ＲＥセット１が選択される。一方、セット番号フィールドは、ＤＲＳ ＲＥセットの番号を識別する。例えば、セット番号フラグが０なら、ＤＲＳ ＲＥセットの番号は、１である。この場合で、端末は、端末がＤＲＳを受信しない他のＤＲＳ ＲＥセットのＲＥでデータシンボルを受信することができる。セット番号フラグが１なら、ＤＲＳ ＲＥセットの番号は、２である。端末は、端末がＤＲＳを受信しない他のＤＲＳ ＲＥセットのＲＥでデータシンボルが受信されるものと期待しない。図３９は、図６のレファレンス信号パターン６２０が、例えば、ＤＲＳパターンとして使用される時、ＤＲＳセット番号フラグ及びＤＲＳセット指示子フラグでビット値の結果を示す。
【０２４３】
図４０は、本発明のさらに他の実施例によるＤＣＩフォーマットを示す。
この実施例において、新しいＤＣＩフォーマット３８００は、フォーマット１Ａに３個の追加フィールドを追加する。Ｉ＿ｓｅｔを判断するために使用される１ビットのＤＲＳセット指示子フラグ３８０１、Ｉ＿ｓｔｒｅａｍ＿ｓｅｔまたはセット内のストリームインデックスを示すために使用される１ビットのストリーム指示子フィールド３８０３及びＤＲＳ ＲＥの他のセットがデータを伝達するか否かを示すために使用される１ビットのＤＲＳセット番号フィールドがそれである。この実施例において、基地局は、表３２００に示すような、ダウンリンクグラント、０、１、２または３で１つのストリームインデックスを示すことができる。また、基地局は、図３９に示すように、ＤＲＳ ＲＥの他のセットがデータを伝達することができるか否かを指示する。
【０２４４】
図４１は、本発明のさらに他の実施例によるＤＣＩフォーマットを示す。
この実施例において、新しいＤＣＩフォーマット３９００は、ＤＣＩフォーマット２Ａに２個の追加フィールドを追加する。１ビットのＤＲＳセット指示子フラグ３５０１及び１ビットのセット番号フィールド３９０３がそれである。ＤＲＳセット指示子フラグが０である時、これは、端末がＤＲＳ ＲＥセット０でＤＲＳを受信することを示す。ＤＲＳセット指示子フラグが１に設定される時、これは、端末がＤＲＳ ＲＥセット１でＤＲＳを受信することを示す。
【０２４５】
本発明の第４部分で、伝送モードＤの端末が考慮される。伝送モードＤで、端末は、最大４個のストリーム及び４個のストリームに関連された最大４個のＤＲＳを受信することができる。また、基地局は、時間周波数リソースのユニットで、最大４個のデータストリーム及び端末の数に対して最大４個のＤＲＳスケジューリングすることができる。この伝送モードで、各端末は、基地局から割り当てられたリソースで端末に対してＤＲＳを割り当てる指示者を受信し、よって、４個のＤＲＳに対するＤＲＳ ＲＥは、それら（端末）に対してデータシンボルを伝達しないことを認知する。
他の実施例において、基地局によって端末にストリーム（及び対応するＤＲＳ）インデックスのセットを示すシステム及び方法が開示される。
【０２４６】
図４２は、本発明のさらに他の実施例によるＤＣＩフォーマットを示す。
この実施例において、追加フィールド、ＤＲＳ割り当てビットマップ（ｂｉｔｍａｐ）がダウンリンクグラントに割り当てられたＤＲＳインデックスを示すために追加される。それで、ダウンリンクグラントを受信する端末は、自分に目的されたＤＲＳ ＲＥを識別することができ、割り当てられたストリームの復調のためにチャネルを推定するためのＤＲＳ ＲＥを使用することができる。ＤＲＳ割り当てビットマップでビットの数は、時間周波数リソースで多重化されることができるストリームの全体合計と同一である。ＤＲＳ割り当てビットマップでｉ番目位置でビットが端末のためのダウンリンクグラントで０なら、これは、ストリームｉ−１及びＤＲＳｉ−１が端末に対して伝送されることを意味する。それとも、ストリームｉ−１及びＤＲＳｉ−１は、端末に伝送されない。例えば、ＤＲＳ割り当てビットマップが［０１０１］である時、ストリーム（及びＤＲＳ）１及び３が端末に割り当てされ、一方、ストリーム（及びＤＲＳ）０及び２は、端末に割り当てられない。
【０２４７】
一例において、ＤＲＳ割り当てビットマップフィールドは、４個のビットを有する。ここで、各ビットは、対応するストリーム及びＤＲＳがダウンリンクグラントを受信する端末に対して割り当てられるか否かを示す。新しいＤＣＩフォーマット４００は、ＤＣＩフォーマット２Ａに追加される追加フィールド、４ビットのＤＲＳ割り当てビットマップ４００１を有する。
【０２４８】
図４３は、本発明の他の実施例による割り当てられたＤＲＳまたはストリームインデックスをマッピングするために使用される表４１００を示す。
この実施例において、追加フィールドがＤＣＩフォーマット２Ａに追加される。ＤＲＳ割り当てマップがダウンリンクグラントに加わる。活性化されたコードワードとともにＤＲＳ割り当てマップは、割り当てられたＤＲＳインデックスを示し、よって、ダウンリンクグラントを受信する端末は、自体に対して意図されたＤＲＳ ＲＥを認識し、ＤＲＳ ＲＥを割り当てられたストリームの復調のためにチャネルを推定するために使用する。表４１００は、３ビットＤＲＳ割り当てマップフィールドで使用される方法Ａ−４の一例を示す。
【０２４９】
本発明について実施例により説明したが、当業者なら多様な変形と修正を提案することができる。本発明の権利範囲は、このような変形と修正を含んで添付の特許請求範囲によって解釈されるべきである。
【図１】
0005624131.tif 000027
【図２】
0005624131.tif 000028
【図３】
0005624131.tif 000029
【図４】
0005624131.tif 000030
【図５】
0005624131.tif 000031
【図６】
0005624131.tif 000032
【図７】
0005624131.tif 000033
【図８】
0005624131.tif 000034
【図９】
0005624131.tif 000035
【図１０】
0005624131.tif 000036
【図１１】
0005624131.tif 000037
【図１２】
0005624131.tif 000038
【図１３】
0005624131.tif 000039
【図１４】
0005624131.tif 000040
【図１５】
0005624131.tif 000041
【図１６】
0005624131.tif 000042
【図１７】
0005624131.tif 000043
【図１８】
0005624131.tif 000044
【図１９】
0005624131.tif 000045
【図２０】
0005624131.tif 000046
【図２１】
0005624131.tif 000047
【図２２】
0005624131.tif 000048
【図２３】
0005624131.tif 000049
【図２４】
0005624131.tif 000050
【図２５】
0005624131.tif 000051
【図２６】
0005624131.tif 000052
【図２７】
0005624131.tif 000053
【図２８】
0005624131.tif 000054
【図２９】
0005624131.tif 000055
【図３０】
0005624131.tif 000056
【図３２】
0005624131.tif 000057
【図３３】
0005624131.tif 000058
【図３４】
0005624131.tif 000059
【図３５】
0005624131.tif 000060
【図３６】
0005624131.tif 000061
【図３７】
0005624131.tif 000062
【図３８】
0005624131.tif 000063
【図３９】
0005624131.tif 000064
【図４０】
0005624131.tif 000065
【図４１】
0005624131.tif 000066
【図４２】
0005624131.tif 000067
【図４３】
0005624131.tif 000068
【図３１】
0005624131.tif 000069